(57)【要約】      （修正有）【課題】電子データの授受を行わせたい複数の情報機器の特定をより簡易により行う情報処理装置、方法及びプログラムを提供する。【解決手段】情報入力装置の入力部への接触または近接に基づく所定の検出結果を取得する情報取得部３１１と、検出結果が携帯端末の入力部への接触または近接を示す場合、情報入力装置の入力領域と携帯端末とのペアリングを行わせるペアリング制御部３１２と、を備える。【選択図】図５
2015118697.tif 000002
【特許請求の範囲】
【請求項１】
情報入力装置の入力部への接触または近接に基づく所定の検出結果を取得する情報取得部と、
前記検出結果が携帯端末の前記入力部への接触または近接を示す場合、前記情報入力装置の入力領域と前記携帯端末とのペアリングを行わせるペアリング制御部と、
を備える、情報処理装置。
【請求項２】
前記情報取得部は、少なくとも２本の指それぞれの前記入力部への接触または近接の検出位置間の距離を前記検出結果として取得する、
請求項１に記載の情報処理装置。
【請求項３】
前記ペアリング制御部は、前記２本の指それぞれの前記入力部への接触または近接の検出位置間の距離が所定の範囲に収まる場合、前記入力領域と前記携帯端末とのペアリングを行わせる、
請求項２に記載の情報処理装置。
【請求項４】
前記所定の範囲は、前記携帯端末のサイズ情報に基づいて決定される、
請求項３に記載の情報処理装置。
【請求項５】
前記情報取得部は、接触または近接された物体の第１の方向成分と第２の方向成分とによって形成される矩形領域のサイズを前記検出結果として取得し、
前記ペアリング制御部は、前記矩形領域のサイズが所定の範囲に収まる場合、前記入力領域と前記携帯端末とのペアリングを行わせる、
請求項１に記載の情報処理装置。
【請求項６】
前記矩形領域のサイズは、少なくとも前記矩形領域の面積を含む、
請求項５に記載の情報処理装置。
【請求項７】
前記情報取得部は、接触または近接された物体の第１の方向成分と第２の方向成分とによって形成される矩形領域に基づいて算出された前記携帯端末の姿勢情報と前記携帯端末のセンサ部によって検出された前記携帯端末の姿勢情報とを前記検出結果として取得し、
前記ペアリング制御部は、前記携帯端末の姿勢情報同士が一致または類似する場合、前記入力領域と前記携帯端末とのペアリングを行わせる、
請求項１に記載の情報処理装置。
【請求項８】
前記ペアリング制御部は、前記携帯端末に対する所定の操作がなされた場合、前記検出結果に基づいて前記入力領域と前記携帯端末とのペアリングを行わせる、
請求項１に記載の情報処理装置。
【請求項９】
前記ペアリング制御部は、前記携帯端末に対する前記所定の操作に基づく第１の時刻と、前記入力部への前記携帯端末の接触または近接に基づく第２の時刻とが一致または類似する場合、前記入力領域と前記携帯端末とのペアリングを行わせる、
請求項８に記載の情報処理装置。
【請求項１０】
前記携帯端末の加速度が所定の変化を生じた場合に、前記所定の操作がなされたと判断される、
請求項８に記載の情報処理装置。
【請求項１１】
前記携帯端末の入力部に対する所定の入力操作がなされた場合に、前記所定の操作がなされたと判断される、
請求項８に記載の情報処理装置。
【請求項１２】
前記情報入力装置と前記携帯端末とのうち少なくとも何れか一方によって発信された無線信号の他方による受信強度が上限値を超える場合、前記所定の操作がなされたと判断される、
請求項８に記載の情報処理装置。
【請求項１３】
情報入力装置の入力部への接触または近接に基づく所定の検出結果を取得するステップと、
前記検出結果が携帯端末の前記入力部への接触または近接を示す場合、前記情報入力装置の入力領域と前記携帯端末とのペアリングを行わせるステップと、
を含む、情報処理方法。
【請求項１４】
コンピュータを、
情報入力装置の入力部への接触または近接に基づく所定の検出結果を取得する情報取得部と、
前記検出結果が携帯端末の前記入力部への接触または近接を示す場合、前記情報入力装置の入力領域と前記携帯端末とのペアリングを行わせるペアリング制御部と、
を備える、情報処理装置として機能させるためのプログラム。
【請求項１５】
携帯端末であって、
情報入力装置の入力部への接触または近接に基づく所定の検出結果が前記携帯端末の前記入力部への接触または近接を示す場合、前記情報入力装置の入力領域と前記携帯端末との間でペアリングが行われ、
前記ペアリングが完了した後、前記入力領域に対応するアプリケーション識別情報を前記情報入力装置から取得する通信制御部と、
前記アプリケーション識別情報により識別されるアプリケーションを起動するアプリケーション制御部と、
を備える、携帯端末。
【請求項１６】
前記通信制御部は、前記アプリケーションに設定可能なパラメータを前記情報入力装置から取得し、
前記アプリケーション制御部は、前記アプリケーションを起動するに際して前記パラメータを前記アプリケーションに設定する、
請求項１５に記載の携帯端末。
【請求項１７】
前記アプリケーション制御部は、前記入力領域に対応する前記アプリケーション識別情報として起動中のアプリケーションを識別するためのアプリケーション識別情報が取得された場合、前記情報入力装置から取得された前記パラメータを前記起動中のアプリケーションに既に設定されているパラメータに追加する、
請求項１６に記載の携帯端末。
【請求項１８】
前記アプリケーション制御部は、前記入力領域に対応する複数のアプリケーション識別情報が前記情報入力装置から取得された場合、前記複数のアプリケーション識別情報それぞれにより識別されるアプリケーションから起動対象のアプリケーションをユーザに選択させる、
請求項１５に記載の携帯端末。
【請求項１９】
前記通信制御部は、前記情報入力装置から受信された前記アプリケーション識別情報および前記パラメータのうち少なくともいずれか一方の一部または全部が暗号化データである場合、前記暗号化データを復号する、
請求項１６に記載の携帯端末。
【請求項２０】
携帯端末による通信方法であって、
情報入力装置の入力部への接触または近接に基づく所定の検出結果が前記携帯端末の前記入力部への接触または近接を示す場合、前記情報入力装置の入力領域と前記携帯端末との間でペアリングが行われ、
前記ペアリングが完了した後、前記入力領域に対応するアプリケーション識別情報を前記情報入力装置から取得することと、
前記アプリケーション識別情報により識別されるアプリケーションを起動することと、
を含む、通信方法。
【請求項２１】
コンピュータを、
携帯端末であって、
情報入力装置の入力部への接触または近接に基づく所定の検出結果が前記携帯端末の前記入力部への接触または近接を示す場合、前記情報入力装置の入力領域と前記携帯端末との間でペアリングが行われ、
前記ペアリングが完了した後、前記入力領域に対応するアプリケーション識別情報を前記情報入力装置から取得する通信制御部と、
前記アプリケーション識別情報により識別されるアプリケーションを起動するアプリケーション制御部と、
を備える携帯端末として機能させるためのプログラム。
【請求項２２】
情報入力装置であって、
前記情報入力装置の入力部への接触または近接に基づく所定の検出結果が携帯端末の前記入力部への接触または近接を示す場合、前記情報入力装置の入力領域と前記携帯端末との間でペアリングが行われ、
前記ペアリングが完了した後、前記入力領域に対応するアプリケーション識別情報を前記携帯端末に通知する処理部を備える、
情報入力装置。
【請求項２３】
前記入力領域は、前記情報入力装置の出力部によって表示されているコンテンツの一部または全体に設定される、
請求項２２に記載の情報入力装置。
【請求項２４】
前記情報入力装置の出力部によって表示されているコンテンツには、１または複数の入力領域が設定される、
請求項２２に記載の情報入力装置。
【請求項２５】
前記情報入力装置に対する前記入力領域の位置および範囲のうち少なくともいずれか一方は、動的に変化する、
請求項２２に記載の情報入力装置。
【請求項２６】
前記情報入力装置は、前記入力領域が視認可能となるように所定のオブジェクトを出力部に表示させる出力制御部を備える、
請求項２２に記載の情報入力装置。
【請求項２７】
前記情報入力装置の出力部によって表示されているコンテンツは、動的に変化する、
請求項２２に記載の情報入力装置。
【請求項２８】
前記アプリケーション識別情報および前記アプリケーションに設定可能なパラメータのうち少なくともいずれか一方は、動的に変化する、
請求項２２に記載の情報入力装置。
【請求項２９】
前記処理部は、前記アプリケーション識別情報および前記アプリケーションに設定可能なパラメータのうち少なくともいずれか一方の一部または全部を暗号化する、
請求項２２に記載の情報入力装置。
【請求項３０】
情報入力装置による情報入力方法であって、
前記情報入力装置の入力部への接触または近接に基づく所定の検出結果が携帯端末の前記入力部への接触または近接を示す場合、前記情報入力装置の入力領域と前記携帯端末との間でペアリングが行われ、
前記ペアリングが完了した後、前記入力領域に対応するアプリケーション識別情報を前記携帯端末に通知することを含む、
情報入力方法。
【請求項３１】
コンピュータを、
情報入力装置であって、
前記情報入力装置の入力部への接触または近接に基づく所定の検出結果が携帯端末の前記入力部への接触または近接を示す場合、前記情報入力装置の入力領域と前記携帯端末との間でペアリングが行われ、
前記ペアリングが完了した後、前記入力領域に対応するアプリケーション識別情報を前記携帯端末に通知する処理部を備える、
情報入力装置として機能させるためのプログラム。
【発明の詳細な説明】
【技術分野】
【０００１】
本発明は、情報処理装置、情報処理方法およびプログラムに関するものである。
【背景技術】
【０００２】
近年、ＬＡＮ（Ｌｏｃａｌ  Ａｒｅａ  Ｎｅｔｗｏｒｋ）ケーブル接続による有線通信やＷｉ−Ｆｉ、３Ｇ回線などの無線通信により異なる情報機器間での電子データの授受を行うことが可能となっている。電子データの授受を行う情報機器はユーザによって特定され得る。例えば、情報機器に割り振られたＩＰ（Ｉｎｔｅｒｎｅｔ  Ｐｒｏｔｏｃｏｌ）アドレスやＰＩＮ（ｐｅｒｓｏｎａｌ  ｉｄｅｎｔｉｆｉｃａｔｉｏｎ  ｎｕｍｂｅｒ）番号の入力などにより電子データの授受を行う情報機器を特定する手法が用いられ得る。しかし、かかる手法では、入力誤操作や番号忘れなどが生じてしまった場合などには、電子データの授受を行うまでの設定が円滑になされない可能性がある。
【０００３】
一方、電子データの授受を行わせたい複数の情報機器それぞれが有するマルチタッチ対応のタッチパネルに対して指の接触形状が同一となるように触れることによって当該複数の情報機器間のペアリングを確立させる技術が開示されている（例えば、非特許文献１参照）。かかる技術においては、それぞれのタッチパネルに触れられた複数指のタッチ位置を検出し、タッチ位置を結んで描かれる多角形の形状の一致度合いによりペアリングを行わせるか否かの判断を行う。すなわち、かかる技術においては、電子データの送信元と送信先との間で同等の「指先の形」が認められた場合に、送信元から送信先への情報の移動を行わせることによって、複数の情報機器間における電子データの授受を実現している。
【先行技術文献】
【特許文献】
【０００４】
【非特許文献１】池松  香、椎尾  一郎  著、「記憶の石：マルチタッチを用いた複数計算機間情報移動」情報処理学会  インタラクション  ２０１３、２０１３年３月１日発行、ｐ．８０〜８６
【発明の概要】
【発明が解決しようとする課題】
【０００５】
しかしながら、タッチ位置を結んで描かれる多角形の形状が利用される場合、指３本（３点）以上でのタッチが必要となる。しかし、タッチ検知数が２点のタッチパネルも存在するため、電子データの授受を行わせたい複数の情報機器を特定するための操作が柔軟性を欠く可能性がある。また、複数の情報機器それぞれのタッチパネルに対してタッチする必要があるため、電子データの授受を行わせたい複数の情報機器を特定するための操作が煩雑となり得る。
【０００６】
そこで、本発明は、上記問題に鑑みてなされたものであり、本発明の目的とするところは、電子データの授受を行わせたい複数の情報機器の特定をより簡易により行うことが可能な技術を提供することにある。
【課題を解決するための手段】
【０００７】
上記問題を解決するために、本発明のある観点によれば、情報入力装置の入力部への接触または近接に基づく所定の検出結果を取得する情報取得部と、前記検出結果が携帯端末の前記入力部への接触または近接を示す場合、前記情報入力装置の入力領域と前記携帯端末とのペアリングを行わせるペアリング制御部と、を備える、情報処理装置が提供される。
【０００８】
前記情報取得部は、少なくとも２本の指それぞれの前記入力部への接触または近接の検出位置間の距離を前記検出結果として取得してよい。
【０００９】
前記ペアリング制御部は、前記２本の指それぞれの前記入力部への接触または近接の検出位置間の距離が所定の範囲に収まる場合、前記入力領域と前記携帯端末とのペアリングを行わせてよい。
【００１０】
前記所定の範囲は、前記携帯端末のサイズ情報に基づいて決定されてよい。
【００１１】
前記情報取得部は、接触または近接された物体の第１の方向成分と第２の方向成分とによって形成される矩形領域のサイズを前記検出結果として取得し、前記ペアリング制御部は、前記矩形領域のサイズが所定の範囲に収まる場合、前記入力領域と前記携帯端末とのペアリングを行わせてよい。
【００１２】
前記矩形領域のサイズは、少なくとも前記矩形領域の面積を含んでよい。
【００１３】
前記情報取得部は、接触または近接された物体の第１の方向成分と第２の方向成分とによって形成される矩形領域に基づいて算出された前記携帯端末の姿勢情報と前記携帯端末のセンサ部によって検出された前記携帯端末の姿勢情報とを前記検出結果として取得し、前記ペアリング制御部は、前記携帯端末の姿勢情報同士が一致または類似する場合、前記入力領域と前記携帯端末とのペアリングを行わせてよい。
【００１４】
前記ペアリング制御部は、前記携帯端末に対する所定の操作がなされた場合、前記検出結果に基づいて前記入力領域と前記携帯端末とのペアリングを行わせてよい。
【００１５】
前記ペアリング制御部は、前記携帯端末に対する前記所定の操作に基づく第１の時刻と、前記入力部への前記携帯端末の接触または近接に基づく第２の時刻とが一致または類似する場合、前記入力領域と前記携帯端末とのペアリングを行わせてよい。
【００１６】
前記携帯端末の加速度が所定の変化を生じた場合に、前記所定の操作がなされたと判断されてよい。
【００１７】
前記携帯端末の入力部に対する所定の入力操作がなされた場合に、前記所定の操作がなされたと判断されてよい。
【００１８】
前記情報入力装置と前記携帯端末とのうち少なくとも何れか一方によって発信された無線信号の他方による受信強度が上限値を超える場合、前記所定の操作がなされたと判断されてよい。
【００１９】
また、本発明の他の観点によれば、情報入力装置の入力部への接触または近接に基づく所定の検出結果を取得するステップと、前記検出結果が携帯端末の前記入力部への接触または近接を示す場合、前記情報入力装置の入力領域と前記携帯端末とのペアリングを行わせるステップと、を含む、情報処理方法が提供される。
【００２０】
また、本発明の他の観点によれば、コンピュータを、情報入力装置の入力部への接触または近接に基づく所定の検出結果を取得する情報取得部と、前記検出結果が携帯端末の前記入力部への接触または近接を示す場合、前記情報入力装置の入力領域と前記携帯端末とのペアリングを行わせるペアリング制御部と、を備える、情報処理装置として機能させるためのプログラムが提供される。
【００２１】
また、本発明の他の観点によれば、携帯端末であって、情報入力装置の入力部への接触または近接に基づく所定の検出結果が前記携帯端末の前記入力部への接触または近接を示す場合、前記情報入力装置の入力領域と前記携帯端末との間でペアリングが行われ、前記ペアリングが完了した後、前記入力領域に対応するアプリケーション識別情報を前記情報入力装置から取得する通信制御部と、前記アプリケーション識別情報により識別されるアプリケーションを起動するアプリケーション制御部と、を備える、携帯端末が提供される。
【００２２】
前記通信制御部は、前記アプリケーションに設定可能なパラメータを前記情報入力装置から取得し、前記アプリケーション制御部は、前記アプリケーションを起動するに際して前記パラメータを前記アプリケーションに設定してよい。
【００２３】
前記アプリケーション制御部は、前記入力領域に対応する前記アプリケーション識別情報として起動中のアプリケーションを識別するためのアプリケーション識別情報が取得された場合、前記情報入力装置から取得された前記パラメータを前記起動中のアプリケーションに既に設定されているパラメータに追加してよい。
【００２４】
前記アプリケーション制御部は、前記入力領域に対応する複数のアプリケーション識別情報が前記情報入力装置から取得された場合、前記複数のアプリケーション識別情報それぞれにより識別されるアプリケーションから起動対象のアプリケーションをユーザに選択させてよい。
【００２５】
前記通信制御部は、前記情報入力装置から受信された前記アプリケーション識別情報および前記パラメータのうち少なくともいずれか一方の一部または全部が暗号化データである場合、前記暗号化データを復号してよい。
【００２６】
また、本発明の他の観点によれば、携帯端末による通信方法であって、情報入力装置の入力部への接触または近接に基づく所定の検出結果が前記携帯端末の前記入力部への接触または近接を示す場合、前記情報入力装置の入力領域と前記携帯端末との間でペアリングが行われ、前記ペアリングが完了した後、前記入力領域に対応するアプリケーション識別情報を前記情報入力装置から取得することと、前記アプリケーション識別情報により識別されるアプリケーションを起動することと、を含む、通信方法が提供される。
【００２７】
また、本発明の他の観点によれば、コンピュータを、携帯端末であって、情報入力装置の入力部への接触または近接に基づく所定の検出結果が前記携帯端末の前記入力部への接触または近接を示す場合、前記情報入力装置の入力領域と前記携帯端末との間でペアリングが行われ、前記ペアリングが完了した後、前記入力領域に対応するアプリケーション識別情報を前記情報入力装置から取得する通信制御部と、前記アプリケーション識別情報により識別されるアプリケーションを起動するアプリケーション制御部と、を備える携帯端末として機能させるためのプログラムが提供される。
【００２８】
また、本発明の他の観点によれば、情報入力装置であって、前記情報入力装置の入力部への接触または近接に基づく所定の検出結果が携帯端末の前記入力部への接触または近接を示す場合、前記情報入力装置の入力領域と前記携帯端末との間でペアリングが行われ、前記ペアリングが完了した後、前記入力領域に対応するアプリケーション識別情報を前記携帯端末に通知する処理部を備える、情報入力装置が提供される。
【００２９】
前記入力領域は、前記情報入力装置の出力部によって表示されているコンテンツの一部または全体に設定されてよい。
【００３０】
前記情報入力装置の出力部によって表示されているコンテンツには、１または複数の入力領域が設定されてよい。
【００３１】
前記情報入力装置に対する前記入力領域の位置および範囲のうち少なくともいずれか一方は、動的に変化してよい。
【００３２】
前記情報入力装置は、前記入力領域が視認可能となるように所定のオブジェクトを出力部に表示させる出力制御部を備えてよい。
【００３３】
前記情報入力装置の出力部によって表示されているコンテンツは、動的に変化してよい。
【００３４】
前記アプリケーション識別情報および前記アプリケーションに設定可能な前記パラメータのうち少なくともいずれか一方は、動的に変化してよい。
【００３５】
前記処理部は、前記アプリケーション識別情報および前記アプリケーションに設定可能なパラメータのうち少なくともいずれか一方の一部または全部を暗号化してよい。
【００３６】
また、本発明の他の観点によれば、情報入力装置による情報入力方法であって、前記情報入力装置の入力部への接触または近接に基づく所定の検出結果が携帯端末の前記入力部への接触または近接を示す場合、前記情報入力装置の入力領域と前記携帯端末との間でペアリングが行われ、前記ペアリングが完了した後、前記入力領域に対応するアプリケーション識別情報を前記携帯端末に通知することを含む、情報入力方法が提供される。
【００３７】
また、本発明の他の観点によれば、コンピュータを、情報入力装置であって、前記情報入力装置の入力部への接触または近接に基づく所定の検出結果が携帯端末の前記入力部への接触または近接を示す場合、前記情報入力装置の入力領域と前記携帯端末との間でペアリングが行われ、前記ペアリングが完了した後、前記入力領域に対応するアプリケーション識別情報を前記携帯端末に通知する処理部を備える、情報入力装置として機能させるためのプログラムが提供される。
【発明の効果】
【００３８】
以上説明したように本発明によれば、電子データの授受を行わせたい複数の情報機器の特定をより簡易により行うことが可能である。
【図面の簡単な説明】
【００３９】
【図１】本発明の実施形態に係る情報処理システムの概要を説明するための図である。
【図２】情報処理システムの構成例を示す図である。
【図３】本発明の第１の実施形態に係る携帯端末の機能構成例を示す図である。
【図４】同実施形態に係る情報入力装置の機能構成例を示す図である。
【図５】同実施形態に係る情報処理装置の機能構成例を示す図である。
【図６】情報入力装置によって表示される画面の例を示す図である。
【図７】ユーザが携帯端末を把持しながら携帯端末を入力部に接触または近接させた状態の一例を示す図である。
【図８】携帯端末を把持した２本の指の検出位置間の距離が満たすべき条件を説明するための図である。
【図９】ユーザが携帯端末を把持しながら携帯端末を入力部に接触または近接させた状態の他の一例を示す図である。
【図１０】携帯端末の動作の例を示すフローチャートである。
【図１１】情報入力装置の動作の例を示すフローチャートである。
【図１２】情報処理装置の動作の例を示すフローチャートである。
【図１３】本発明の第２の実施形態に係る携帯端末の機能構成例を示す図である。
【図１４】同実施形態に係る情報入力装置の機能構成例を示す図である。
【図１５】同実施形態に係る情報入力装置の入力部が含み得る赤外線遮断方式のタッチパネルの構成例を示す図である。
【図１６】同実施形態に係る携帯端末の第１の方向成分と第２の方向成分とによって形成される矩形領域の変化を説明するための図である。
【図１７】同実施形態に係る携帯端末の第１の方向成分と第２の方向成分とによって形成される矩形領域の面積が満たすべき条件を説明するための図である。
【図１８Ａ】同実施形態に係る情報入力装置の入力部に対する携帯端末の傾きがθとなる場合の第１の例を示す図である。
【図１８Ｂ】同実施形態に係る情報入力装置の入力部に対する携帯端末の傾きがθとなる場合の第２の例を示す図である。
【図１８Ｃ】同実施形態に係る情報入力装置の入力部に対する携帯端末の傾きがθとなる場合の第３の例を示す図である。
【図１８Ｄ】同実施形態に係る情報入力装置の入力部に対する携帯端末の傾きがθとなる場合の第４の例を示す図である。
【図１９】携帯端末の動作の例を示すフローチャートである。
【図２０】情報入力装置の動作の例を示すフローチャートである。
【図２１】情報処理装置の動作の例を示すフローチャートである。
【図２２】本発明の第３の実施形態に係る携帯端末の機能構成例を示す図である。
【図２３】携帯端末の記憶部によって記憶されている情報組の構成例を示す図である。
【図２４】情報入力装置の記憶部によって記憶されている情報組の構成例を示す図である。
【図２５】本発明の第３の実施形態に係る情報入力装置の出力部によって表示される表示内容の例を示す図である。
【図２６】本発明の第３の実施形態に係る情報入力装置の出力部によって表示される表示内容の他の例を示す図である。
【図２７】コンテンツと入力領域との対応関係の変形例を示す図である。
【図２８】情報処理システムの構成の変形例を示す図である。
【発明を実施するための形態】
【００４０】
以下に添付図面を参照しながら、本発明の好適な実施の形態について詳細に説明する。なお、本明細書および図面において、実質的に同一の機能構成を有する構成要素については、同一の符号を付することにより重複説明を省略する。
【００４１】
また、本明細書および図面において、実質的に同一の機能構成を有する複数の構成要素を、同一の符号の後に異なるアルファベットまたは数字を付して区別する場合もある。ただし、実質的に同一の機能構成を有する複数の構成要素の各々を特に区別する必要がない場合、同一符号のみを付する。
【００４２】
［実施形態の説明］
まず、本発明の実施形態に係る情報処理システム１の概要について説明する。図１は、本発明の実施形態に係る情報処理システムの概要を説明するための図である。図１に示すように、情報処理システムは、少なくとも携帯端末１０と情報入力装置２０とを備えている。携帯端末１０はユーザが所持する端末であり、携帯端末１０の種類は特に限定されず、例えば、携帯電話であってもよいし、スマートフォンであってもよいし、タブレット端末であってもよい。
【００４３】
情報入力装置２０は、少なくとも入力部２２０と出力部２６０とを備えている。入力部２２０は、ユーザからの情報の入力を受け付ける機能を有する。本明細書においては、入力部２２０がタッチパネルによって構成される場合を主に説明するが、入力部２２０の入力形式は特に限定されない。入力部２２０によって入力が受け付けられた情報は情報入力装置２０に出力され、情報入力装置２０による演算に用いられる。また、情報入力装置２０による演算結果は、出力部２６０によって出力される。
【００４４】
以上、本発明の実施形態に係る情報処理システム１の概要について説明した。
【００４５】
続いて、情報処理システム１の構成例について説明する。図２は、情報処理システム１の構成例を示す図である。図２に示すように、情報処理システム１は、携帯端末１０と情報入力装置２０と情報処理装置３０とを備える。携帯端末１０と情報入力装置２０と情報処理装置３０とは、インターネットなどのネットワーク４０に接続されている。情報入力装置２０の入力部２２０は、入力領域２２１Ａ、２２１Ｂ、２２１Ｃを有している。
【００４６】
本明細書においては、入力部２２０が３つの入力領域２２１を有している例を主に説明するが、入力部２２０が有する入力領域２２１の数は限定されない。また、本明細書においては、情報処理装置３０が携帯端末１０および情報入力装置２０とは別の装置として設けられる例を説明するが、情報処理装置３０は、携帯端末１０に組み込まれていてもよいし、情報入力装置２０に組み込まれていてもよい。
【００４７】
以上、本発明の実施形態に係る情報処理システム１の構成例について説明した。
【００４８】
ここで、携帯端末１０Ａと情報処理装置３０との間、情報入力装置２０Ａと情報処理装置３０との間は通信が可能であるが、電子データの授受を行わせたい複数の情報機器として携帯端末１０Ａと情報入力装置２０Ａとが特定されていない段階においては携帯端末１０Ａと情報入力装置２０Ａとの間は通信が不可能である。本明細書においては、携帯端末１０と情報入力装置２０Ａとの間で電子データの授受を行わせたい場合に、携帯端末１０と情報入力装置２０Ａとをより簡易に特定することが可能な技術を提案する。
【００４９】
［第１の実施形態の説明］
続いて、本発明の第１の実施形態について説明する。まず、本発明の第１の実施形態に係る携帯端末１０Ａの機能構成例について説明する。図３は、本発明の第１の実施形態に係る携帯端末１０Ａの機能構成例を示す図である。図３に示すように、携帯端末１０Ａは、制御部１１０と、入力部１２０と、通信部１５０と、記憶部１６０と、表示部１７０とを備える。
【００５０】
制御部１１０は、携帯端末１０Ａの動作全体を制御する機能を有する。入力部１２０は、ユーザの操作を検出して検出結果を制御部１１０に提供する機能を有する。入力部１２０は、ユーザのＧＵＩ（Ｇｒａｐｈｉｃａｌ  Ｕｓｅｒ  Ｉｎｔｅｒｆａｃｅ）に対する操作を検出可能なタッチパネルを含んでもよいし、ユーザのジェスチャを検出可能なカメラを含んでもよいし、ユーザが発する音声を検出可能なマイクを含んでもよい。
【００５１】
通信部１５０は、制御部１１０による制御に従って有線または無線により他の装置と通信を行う機能を有する。例えば、通信部１５０は、ネットワーク４０に接続された他の装置と通信を行う機能を有する。例えば、通信部１５０は、Ｗｉ−Ｆｉ、３Ｇ回線などを介する無線通信によって他の装置と通信を行う機能を有してもよい。
【００５２】
記憶部１６０は、制御部１１０を動作させるためのプログラムやデータを記憶することができる。また、記憶部１６０は、制御部１１０の動作の過程で必要となる各種データを一時的に記憶することもできる。表示部１７０は、制御部１１０による制御に従って各種情報を表示する機能を有する。
【００５３】
なお、図３に示した例では、入力部１２０、通信部１５０、記憶部１６０および表示部１７０は、携帯端末１０Ａの内部に存在するが、携帯端末１０Ａの外部に備えられていてもよい。また、制御部１１０は、ペアリング処理部１１１と、操作検出部１１２と、通信制御部１１３と、表示制御部１１４とを備える。制御部１１０が備えるこれらの各機能部の詳細については、後に説明する。
【００５４】
以上、本発明の第１の実施形態に係る携帯端末１０Ａの機能構成例について説明した。
【００５５】
続いて、本発明の第１の実施形態に係る情報入力装置２０Ａの機能構成例について説明する。図４は、第１の実施形態に係る情報入力装置２０Ａの機能構成例を示す図である。図４に示すように、情報入力装置２０Ａは、制御部２１０と、入力部２２０と、通信部２４０と、記憶部２５０と、出力部２６０とを備える。
【００５６】
制御部２１０は、情報入力装置２０Ａの動作全体を制御する機能を有する。入力部２２０は、入力領域２２１Ａ、２２１Ｂ、２２１Ｃに対する情報の入力を受け付けて制御部２１０に提供する機能を有する。本発明の第１の実施形態においては、入力部２２０が、導電性物質（例えば、人体など）が接触または近接された位置を検出位置として２点以上検出することが可能な静電容量方式のタッチパネルを含む場合を主に説明する。
【００５７】
例えば、静電容量方式のタッチパネルは、格子状に配置された電極と電極との交点に形成されるコンデンサの静電容量が導電性物質の接触または近接により変化する原理を利用した投影型静電容量方式であってよい。入力部２２０は、静電容量方式のタッチパネルへの導電性物質の接触または近接により変化する静電容量の計測結果に基づいて、静電容量方式のタッチパネルへの接触または近接の位置を検出位置として検出する。なお、入力部２２０は、静電容量方式のタッチパネルの代わりに他の検出装置を含んでもよい。例えば、入力部２２０は、圧力センサの測定結果に基づいて、圧力センサへの接触の位置を検出位置として検出してもよい。
【００５８】
通信部２４０は、制御部２１０による制御に従って有線または無線により他の装置と通信を行う機能を有する。例えば、通信部２４０は、ネットワーク４０に接続された他の装置と通信を行う機能を有する。例えば、通信部２４０は、Ｗｉ−Ｆｉ、３Ｇ回線などを介する無線通信、ＬＡＮケーブル、ＵＳＢ（Ｕｎｉｖｅｒｓａｌ  Ｓｅｒｉａｌ  Ｂｕｓ）ポートなどを介する有線通信によって他の装置と通信を行う機能を有してもよい。
【００５９】
記憶部２５０は、制御部２１０を動作させるためのプログラムやデータを記憶することができる。また、記憶部２５０は、制御部２１０の動作の過程で必要となる各種データを一時的に記憶することもできる。出力部２６０は、制御部２１０による制御に従って各種情報を表示する機能を有する。
【００６０】
なお、図４に示した例では、入力部２２０、通信部２４０、記憶部２５０および出力部２６０は、情報入力装置２０Ａの内部に存在するが、情報入力装置２０Ａの外部に備えられていてもよい。また、制御部２１０は、ペアリング処理部２１１と、通信制御部２１２と、操作処理部２１３と、出力制御部２１４とを備える。制御部２１０が備えるこれらの各機能部の詳細については、後に説明する。
【００６１】
以上、本発明の第１の実施形態に係る情報入力装置２０Ａの機能構成例について説明した。
【００６２】
続いて、本発明の第１の実施形態に係る情報処理装置３０の機能構成例について説明する。図５は、本発明の第１の実施形態に係る情報処理装置３０の機能構成例を示す図である。図５に示すように、情報処理装置３０は、制御部３１０、記憶部３２０および通信部３３０を備える。
【００６３】
制御部３１０は、情報処理装置３０の動作全体を制御する機能を有する。記憶部３２０は、制御部３１０を動作させるためのプログラムやデータを記憶することができる。また、記憶部３２０は、制御部３１０の動作の過程で必要となる各種データを一時的に記憶することもできる。通信部３３０は、ネットワーク４０に接続された他の装置と通信を行う機能を有する。
【００６４】
なお、図５に示した例では、記憶部３２０および通信部３３０は、情報処理装置３０の内部に存在するが、記憶部３２０および通信部３３０は、情報処理装置３０の外部に備えられていてもよい。また、制御部３１０は、情報取得部３１１と、ペアリング制御部３１２とを備える。制御部３１０が備えるこれらの各機能部の詳細については、後に説明する。
【００６５】
以上、本発明の第１の実施形態に係る情報処理装置３０の機能構成例について説明した。
【００６６】
続いて、本発明の第１の実施形態に係る情報処理システム１の機能詳細について説明する。図６は、情報入力装置２０Ａによって表示される画面の例を示す図である。図６を参照すると、情報入力装置２０の出力制御部２１４は、入力領域２２１Ａ、２２１Ｂ、２２１Ｃそれぞれに対応するコンテンツ２６１Ａ、２６１Ｂ、２６１Ｃを出力部２６０に表示させている。ユーザは、入力領域２２１Ａ、２２１Ｂ、２２１Ｃに対して操作を入力することが可能である。
【００６７】
ここで、例えば、ユーザが携帯端末１０Ａの表示部１７０にもコンテンツ２６１Ｂを表示させたいと考えたとする。かかる場合、携帯端末１０Ａと入力領域２２１Ｂとの間の通信を可能とし、入力領域２２１Ｂに対応するコンテンツ２６１Ｂが携帯端末１０Ａにダウンロードされることが望ましい。そこで、ペアリングを簡易に行うことを考慮し、ユーザが入力領域２２１Ｂに携帯端末１０Ａを接触または近接させたと判断される場合に、入力領域２２１Ｂと携帯端末１０Ａとのペアリングが行われるとよい。
【００６８】
具体的には、情報取得部３１１は、情報入力装置２０Ａの入力部２２０への接触または近接に基づく所定の検出結果を取得し、ペアリング制御部３１２は、検出結果が携帯端末１０Ａの接触または近接を示す場合、情報入力装置２０Ａの入力領域と携帯端末１０Ａとのペアリングを行わせる。ユーザが入力領域２２１Ｂに携帯端末１０Ａを接触または近接させたことはどのように判断されてもよい。本発明の第１の実施形態においては、携帯端末１０Ａを把持した指が入力部２２０に接触または近接されれば、携帯端末１０Ａも入力部２２０に接触または近接された可能性が高いという事実を利用する。
【００６９】
図７は、ユーザが携帯端末１０Ａを把持しながら携帯端末１０Ａを入力部２２０に接触または近接させた状態の一例を示す図である。図７を参照すると、ユーザが携帯端末１０Ａを把持しながら携帯端末１０Ａを入力部２２０に接触または近接させた結果の一例として、ユーザの親指および中指が入力部２２０に接触または近接され、それぞれの接触または近接の位置が検出位置５１ａおよび検出位置５１ｂとして入力部２２０によって検出されている。検出位置５１ａおよび検出位置５１ｂは、ペアリング処理部２１１によって取得される。
【００７０】
ここで、入力部２２０に接触または近接される指の種類は、親指および中指に限定されない。また、入力部２２０に接触または近接される指の数も２本に限定されず、３本以上であってもよい。ユーザが入力領域２２１Ｂに携帯端末１０Ａを接触または近接させるに際して携帯端末１０Ａに対して所定の操作を行うと、携帯端末１０Ａのペアリング処理部１１１は、携帯端末１０Ａに対する所定の操作に基づく第１の時刻を含む第１のペアリング要求を情報処理装置３０に提供する。第１の時刻は所定の操作がなされた時刻であってよい。
【００７１】
所定の操作は特に限定されないが、携帯端末１０Ａに加速度センサが備わっている場合には、携帯端末１０Ａの加速度が所定の変化を生じた場合に、所定の操作がなされたと判断されてもよい。例えば、入力部２２０に携帯端末１０Ａを接触または近接させるときには、携帯端末１０Ａの状態は、入力部２２０が存在する方向に移動させている状態から停止させる状態に急激に変化されると考えられる。したがって、携帯端末１０Ａの加速度の変化が閾値を超えた場合に、所定の操作がなされたと判断されてもよい
【００７２】
また、携帯端末１０Ａの入力部１２０に対する所定の入力操作（例えば、ボタン押下操作など）がなされた場合に、所定の操作がなされたと判断されてもよい。所定の入力操作によってユーザのペアリング開始の意志が把握されるからである。また、情報入力装置２０Ａと携帯端末１０Ａとのうち少なくとも何れか一方によって発信された無線信号の他方による受信強度が上限値を超える場合、所定の操作がなされたと判断されてもよい。かかる場合には、情報入力装置２０Ａと携帯端末１０Ａとの距離がある程度より近づいたと考えられるからである。
【００７３】
一方、情報入力装置２０Ａのペアリング処理部２１１は、入力部２２０への携帯端末１０Ａの接触または近接に基づく第２の時刻と検出位置５１ａおよび検出位置５１ｂとを含む第２のペアリング要求を情報処理装置３０に提供する。第２の時刻は入力部２２０への携帯端末１０Ａの接触または近接が検出された時刻であってよい。ペアリング処理部１１１によって提供された第１のペアリング要求およびペアリング処理部２１１によって提供された第２のペアリング要求は、情報処理装置３０の情報取得部３１１によって取得されてペアリング制御部３１２に提供される。
【００７４】
図７には、検出位置５１ａと検出位置５１ｂとの距離５２が示されている。携帯端末１０Ａが把持されている場合には、距離５２が所定の範囲に収まると考えられる。そこで、ペアリング制御部３１２は、検出位置５１ａと検出位置５１ｂとの距離５２を算出し、距離５２が所定の範囲に収まる場合、ペアリングを行わせればよい。
【００７５】
ここで、ペアリング制御部３１２は、所定の範囲を携帯端末１０Ａのサイズ情報（例えば、携帯端末１０Ａの各辺の長さ）に基づいて決定してもよい。サイズ情報は、携帯端末１０Ａから提供される第１のペアリング要求に含まれていてもよいし、携帯端末１０Ａから提供される第１のペアリング要求に携帯端末１０Ａの機器に関する情報（例えば、品番、機器ＩＤなど）が含まれる場合には、機器に関する情報に対応するサイズ情報をデータベースから取得してもよい。
【００７６】
図８は、携帯端末１０Ａを把持した２本の指の検出位置間の距離５２が満たすべき条件を説明するための図である。図８に示すように、携帯端末１０Ａの各辺を短辺幅ｓｗおよび長辺幅ｌｗと表し、入力部２２０に接触または近接する各指の領域（ここでは、円領域と仮定する）の半径をｒと表すことにする（円領域５３参照）。半径ｒの値はあらかじめ定められていてもよい。
【００７７】
ここで、ユーザが携帯端末１０Ａを把持する場合、携帯端末１０Ａの両側の長辺幅ｌｗそれぞれに触れるように把持するのが一般的である。このように携帯端末１０Ａの両側の長辺幅ｌｗそれぞれに触れるようにして携帯端末１０Ａが把持される場合、把持幅ｘｗ（検出位置５１ａと検出位置５１ｂとの長辺幅ｌｗ方向の幅）は、長辺幅ｌｗ以内となる。そこで、距離５２は、以下の式（１）を満たしていると考えられる。
【００７８】
【数１】
2015118697.tif 000003
【００７９】
そこで、例えば、ペアリング制御部３１２は、距離５２が式（１）を満たす場合、ペアリングを行わせればよい。具体的には、ペアリング制御部３１２は、ペアリング要求を許容する旨を示すペアリング応答を携帯端末１０Ａおよび情報入力装置２０Ｂに提供することによって、ペアリングを行わせればよい。また、ペアリング制御部３１２は、検出位置５１ａと検出位置５１ｂとの中点を算出して情報入力装置２０Ａへのペアリング応答にユーザによる選択位置として含めてよい。しかしながら、選択位置は検出位置５１ａと検出位置５１ｂとの中点に限定されない。
【００８０】
なお、短辺幅ｓｗ、長辺幅ｌｗおよび半径ｒが実サイズで表現され、距離５２がピクセル数で表現されている場合などには、実サイズとピクセル数との間でスケールを事前に合わせておけばよい。また、上記においては、検出位置５１ａと検出位置５１ｂとの距離５２の算出が情報処理装置３０のペアリング制御部３１２によってなされる例を示したが、情報入力装置２０Ａのペアリング処理部２１１によってなされてもよい。かかる場合には、第２のペアリング要求には、検出位置５１ａおよび検出位置５１ｂの代わりに距離５２が含められればよい。
【００８１】
以上においては、ペアリング制御部３１２が検出位置５１ａと検出位置５１ｂとの距離５２が所定の範囲に収まるか否かによってペアリングを行わせるか否かを判断する例を示した。しかし、ペアリングを行わせるか否かの判断はかかる例に限定されない。例えば、ペアリング制御部３１２は、距離５２が所定の範囲に収まるか否かの判断に追加して、携帯端末１０Ａに対する所定の操作がなされたか否かを判断してもよい。ペアリング制御部３１２は、上記したような携帯端末１０Ａに対する所定の操作がなされた場合、検出結果に基づいてペアリングを行わせてもよい。
【００８２】
また、例えば、ペアリング制御部３１２は、距離５２が所定の範囲に収まるか否かの判断に追加して、あるいは、かかる判断の代わりに、携帯端末１０Ａに対する所定の操作に基づく第１の時刻と、入力部２２０への携帯端末１０Ａの接触または近接に基づく第２の時刻とが一致または類似するか否かを判断してもよい。ペアリング制御部３１２は、第１の時刻と第２の時刻とが一致または類似する場合、ペアリングを行わせてもよい。かかる機能によって、誤った機器間においてペアリングがなされる可能性を低減することが可能となる。類似の範囲は、あらかじめ定められていてもよい。
【００８３】
以上においては、検出位置５１ｂとして中指が検出される場合を例として説明したが、検出位置５１ｂとして他の指が検出される可能性もある。図９は、ユーザが携帯端末１０Ａを把持しながら携帯端末１０Ａを入力部２２０に接触または近接させた状態の他の一例を示す図である。図９を参照すると、ユーザが携帯端末１０Ａを把持しながら携帯端末１０Ａを入力部２２０に接触または近接させた結果の他の一例として、ユーザの薬指および小指がさらに入力部２２０に接触または近接され、それぞれの接触または近接の位置が検出位置５１ｂとして入力部２２０によって検出されている。
【００８４】
かかる場合には、例えば、ペアリング制御部３１２は、式（１）を満たす２つの検出位置の組み合わせが少なくとも１組存在する場合、ペアリングを行わせればよい。図９に示した例においては、ペアリング制御部３１２によって式（１）を満たす検出位置５１ａと検出位置５１ｂとの組み合わせが３組存在することが把握される。したがって、かかる場合には、ペアリング制御部３１２は、ペアリングを行わせればよい。
【００８５】
また、図９に示した例のように、式（１）を満たす検出位置５１ａと検出位置５１ｂとの組み合わせが複数存在する場合には、ペアリング応答に含められる選択位置として複数の組み合わせにおける各中点の重心を用いてもよい。あるいは、複数の組み合わせに共通する検出位置５１ａが親指の接触または近接の位置であると考えられるため、検出位置５１ａから所定距離だけ所定方向（例えば、検出位置５１ａを起点として検出位置５１ａから最も近い検出位置５１ｂの方向）に離れた位置を選択位置として用いてもよい。
【００８６】
あるいは、複数の組み合わせの中から距離が最短の組み合わせの中点を選択位置として用いてもよい。なお、上記においては、選択位置がペアリング制御部３１２によって算出される例を説明したが、ペアリング処理部２１１によって算出されてもよい。
【００８７】
情報入力装置２０Ａのペアリング処理部２１１は、情報処理装置３０からペアリング要求を許容する旨を示すペアリング応答が取得された場合、携帯端末１０Ａとの間でペアリングを行う。例えば、ペアリング処理部２１１は、選択位置が入力領域２２１Ｂに位置する場合、入力領域２２１Ｂを選択すればよい。そうすれば、情報入力装置２０Ａのペアリング処理部２１１および携帯端末１０Ａのペアリング処理部１１１は、選択された入力領域２２１Ｂと携帯端末１０Ａとの間でペアリングを行うことができる。
【００８８】
ペアリングが完了した後は、例えば、携帯端末１０Ａの操作検出部１１２は、入力部１２０によって検出されたユーザの操作を検出し、通信制御部１１３は、ユーザの操作を情報入力装置２０Ａに送信させることができる。また、情報入力装置２０Ａの通信制御部２１２は、通信部２４０によって携帯端末１０Ａから受信されたユーザの操作を取得し、操作処理部２１３は、ユーザの操作に応じて入力領域２２１Ｂに対応する処理を行うことができる。
【００８９】
入力領域２２１Ｂに対応する処理は特に限定されないが、入力領域２２１Ｂに対応するコンテンツ２６１ＢのＵＲＬ（Ｕｎｉｆｏｒｍ  Ｒｅｓｏｕｒｃｅ  Ｌｏｃａｔｏｒ）を携帯端末１０Ａに通知する処理であってもよい。そうすれば、携帯端末１０Ａの通信制御部１１３は、通知されたＵＲＬに基づいてコンテンツ２６１Ｂをダウンロードすることが可能である。また、携帯端末１０Ａの表示制御部１１４は、ダウンロードされたコンテンツ２６１Ｂを表示部１７０に表示させることが可能となる。
【００９０】
また、入力領域２２１Ｂに対応する処理は、携帯端末１０Ａが有するコンテンツのアップロード先のＵＲＬを携帯端末１０Ａに通知する処理であってもよい。そうすれば、携帯端末１０Ａの通信制御部１１３は、通知されたＵＲＬに基づいてコンテンツをアップロードすることが可能である。入力領域２２１Ｂに対応する処理は、ユーザによって選択可能であってもよい。ユーザによって処理が選択されるタイミングは、上記の所定の操作がなされるときであってもよい。
【００９１】
続いて、本発明の第１の実施形態に係る携帯端末１０Ａの動作例について説明する。図１０は、本発明の第１の実施形態に係る携帯端末１０Ａの動作の例を示すフローチャートである。なお、図１０に示した動作例は、携帯端末１０Ａの動作の一例を示したに過ぎない。したがって、携帯端末１０Ａの動作は、図１０に示した動作例に限定されることはない。
【００９２】
図１０に示したように、携帯端末１０Ａにおいて、ペアリング処理部１１１は、ユーザによる所定の操作が検出されたか否かを判断する（ステップＳ１１）。所定の操作としては、上記したように様々な操作が想定される。ペアリング処理部１１１は、所定の操作が検出されない場合には（ステップＳ１１において「Ｎｏ」）、ステップＳ１１に戻る。一方、ペアリング処理部１１１は、所定の操作が検出された場合には（ステップＳ１１において「Ｙｅｓ」）、所定の操作に基づく第１の時刻を含んだ第１のペアリング要求を情報処理装置３０に送信させ（ステップＳ１２）、ステップＳ１１に戻る。
【００９３】
以上、本発明の第１の実施形態に係る携帯端末１０Ａの動作例について説明した。
【００９４】
続いて、本発明の第１の実施形態に係る情報入力装置２０Ａの動作例について説明する。図１１は、本発明の第１の実施形態に係る情報入力装置２０Ａの動作の例を示すフローチャートである。なお、図１１に示した動作例は、情報入力装置２０Ａの動作の一例を示したに過ぎない。したがって、情報入力装置２０Ａの動作は、図１１に示した動作例に限定されることはない。
【００９５】
図１１に示したように、情報入力装置２０Ａにおいて、ペアリング処理部２１１は、入力部２２０への指の接触または近接が検出されたか否かを判断する（ステップＳ２１）。ペアリング処理部２１１は、入力部２２０への指の接触または近接が検出されていないと判断した場合には（ステップＳ２１において「Ｎｏ」）、ステップＳ２１に戻る。一方、ペアリング処理部２１１は、入力部２２０への指の接触または近接が検出されたと判断した場合には（ステップＳ２１において「Ｙｅｓ」）、検出数が複数であるか否かを判断する（ステップＳ２２）。
【００９６】
ペアリング処理部２１１は、検出数が複数ではないと判断した場合には（ステップＳ２２において「Ｎｏ」）、ステップＳ２１に戻る。一方、ペアリング処理部２１１は、検出数が複数であると判断した場合には（ステップＳ２２において「Ｙｅｓ」）、指の接触または近接の位置と指の接触または近接に基づく第２の時刻とを含む第２のペアリング要求を情報処理装置３０に送信させ（ステップＳ２３）、ステップＳ２１に戻る。
【００９７】
以上、本発明の第１の実施形態に係る情報入力装置２０Ａの動作例について説明した。
【００９８】
続いて、本発明の第１の実施形態に係る情報処理装置３０の動作例について説明する。図１２は、本発明の第１の実施形態に係る情報処理装置３０の動作の例を示すフローチャートである。なお、図１２に示した動作例は、情報処理装置３０の動作の一例を示したに過ぎない。したがって、情報処理装置３０の動作は、図１２に示した動作例に限定されることはない。
【００９９】
図１２に示したように、情報処理装置３０において、通信部３３０は、携帯端末１０Ａから第１のペアリング要求を受信し（ステップＳ３１）、情報入力装置２０Ａから第２のペアリング要求を受信する（ステップＳ３２）。情報取得部３１１は、通信部３３０によって受信された第１のペアリング要求と第２のペアリング要求とを取得する。続いて、ペアリング制御部３１２は、指の接触または近接の位置間の距離が所定の範囲に収まるか否かを判断する（ステップＳ３３）。
【０１００】
ペアリング制御部３１２は、指の接触または近接の位置間の距離が所定の範囲に収まらないと判断した場合には（ステップＳ３３において「Ｎｏ」）、ユーザが携帯端末１０Ａを情報入力装置２０に接触または近接させていないと判断し、ステップＳ３１に戻る。一方、ペアリング制御部３１２は、指の接触または近接の位置間の距離が所定の範囲に収まると判断した場合には（ステップＳ３３において「Ｙｅｓ」）、第１の時刻と第２の時刻とが一致または類似するか否かを判断する（ステップＳ３４）。
【０１０１】
ペアリング制御部３１２は、第１の時刻と第２の時刻とが一致または類似しないと判断した場合には（ステップＳ３４において「Ｎｏ」）、誤った機器間においてペアリングを行ってしまう可能性を低減するため、ステップＳ３１に戻る。一方、ペアリング制御部３１２は、第１の時刻と第２の時刻とが一致または類似すると判断した場合には（ステップＳ３４において「Ｙｅｓ」）、ユーザの選択位置にある入力領域２２１と携帯端末１０Ａとのペアリングを行わせて（ステップＳ３５）、ステップＳ３１に戻る。
【０１０２】
以上、本発明の第１の実施形態に係る情報処理装置３０の動作例について説明した。
【０１０３】
以上に説明したように、本発明の第１の実施形態において、情報取得部３１１は、少なくとも２本の指それぞれの入力部２２０への接触または近接の検出位置間の距離を検出結果として取得する。そして、ペアリング制御部３１２は、２本の指それぞれの入力部２２０への接触または近接の検出位置間の距離が所定の範囲に収まる場合、ペアリングを行わせる。かかる場合には、ユーザが携帯端末１０Ａを把持しながら２本の指を入力部２２０に接触または近接させたと考えられるからである。
【０１０４】
なお、携帯端末１０Ａを把持しながら入力部２２０に２本の指それぞれを接触または近接させた場合、この検出位置間の距離はあまり大きく変動しないと考えられる。一方、検出位置間の距離がある程度以上変動する場合には、ユーザによってジェスチャ入力（例えば、ピンチイン操作、ピンチアウト操作など）がなされたと考えられる。そこで、ペアリング制御部３１２は、所定の回数（所定のフレーム数）連続で検出位置間の距離が所定の範囲に収まった場合に、ペアリングを行わせるようにしてもよい。
【０１０５】
また、上記においては、入力部２２０が静電容量方式のタッチパネルを含む場合を主に説明したが、静電容量方式のタッチパネルの代わりに、接触または近接された位置を２点以上検出することが可能な他のタッチパネルが含まれてもよい。例えば、入力部２２０は、静電容量方式のタッチパネルの代わりに、接触または近接された位置を２点以上検出することが可能な抵抗膜方式のタッチパネルを含んでもよい。
【０１０６】
［第２の実施形態の説明］
続いて、本発明の第２の実施形態について説明する。本発明の第１の実施形態においては、静電容量方式のタッチパネルを用いる場合を主に説明した。しかし、静電容量方式のタッチパネルは大型化すると位置検出の演算量やノイズが増加してしまう可能性がある。本発明の第２の実施形態においては、大型化に耐え得る赤外線遮断方式のタッチパネルを用いる場合を主に説明する。
【０１０７】
まず、本発明の第２の実施形態に係る携帯端末１０Ｂの機能構成例について説明する。図１３は、本発明の第２の実施形態に係る携帯端末１０Ｂの機能構成例を示す図である。図１３に示すように、携帯端末１０Ｂは、制御部１１０と、入力部１２０と、センサ部１４０と、通信部１５０と、記憶部１６０と、表示部１７０とを備える。ここでは、本発明の第１の実施形態に係る携帯端末１０Ａの機能構成と同様の機能構成については説明を省略し、異なる機能構成について主に説明する。
【０１０８】
センサ部１４０は、携帯端末１０Ｂの姿勢情報を検出する機能を有する。例えば、センサ部１４０は、３軸加速度センサを含んでおり、３軸加速度センサによって計測された携帯端末１０Ｂにかかる加速度を携帯端末１０Ｂの姿勢情報として検出する。なお、図１３に示した例では、センサ部１４０は、携帯端末１０Ｂの内部に存在するが、携帯端末１０Ｂの外部に備えられていてもよい。また、制御部１１０は、ペアリング処理部１１１と、操作検出部１１２と、通信制御部１１３と、表示制御部１１４とを備える。制御部１１０が備えるこれらの各機能部の詳細については、後に説明する。
【０１０９】
以上、本発明の第２の実施形態に係る携帯端末１０Ｂの機能構成例について説明した。
【０１１０】
続いて、本発明の第２の実施形態に係る情報入力装置２０Ｂの機能構成例について説明する。図１４は、第２の実施形態に係る情報入力装置２０Ｂの機能構成例を示す図である。図１４に示すように、情報入力装置２０Ｂは、制御部２１０と、入力部２２０と、センサ部２３０と、通信部２４０と、記憶部２５０と、出力部２６０とを備える。ここでは、本発明の第１の実施形態に係る情報入力装置２０Ａの機能構成と同様の機能構成については説明を省略し、異なる機能構成について主に説明する。
【０１１１】
入力部２２０は、入力領域２２１Ａ、２２１Ｂ、２２１Ｃに対する情報の入力を受け付けて制御部２１０に提供する機能を有する。本発明の第２の実施形態においては、入力部２２０が、接触または近接された物体によって赤外線が遮断された位置を検出することが可能な赤外線遮断方式のタッチパネルを含む場合を主に説明する。以下、赤外線遮断方式のタッチパネルについて説明する。
【０１１２】
図１５は、本発明の第２の実施形態に係る情報入力装置２０Ｂの入力部２２０が含み得る赤外線遮断方式のタッチパネルの構成例を示す図である。図１５に示すように、入力部２２０および出力部２６０の対向する長辺の一方には赤外線出力装置Ｆ（例えば、赤外線ＬＥＤ（Ｌｉｇｈｔ  Ｅｍｉｔｔｉｎｇ  Ｄｉｏｄｅ））が敷設され、他方には赤外線センサＧが敷設されている。また、対向する短辺の一方には、赤外線出力装置Ｆが敷設され、他方には赤外線センサＧが敷設されている。
【０１１３】
例えば、赤外線遮断方式のタッチパネルの表面のある位置Ｐに物体を接触または近接させると、位置Ｐに向けて出力された赤外線が遮断されるため、位置Ｐに対応する赤外線センサＧの受光レベルが低下する。したがって、受光レベルが低下した赤外線センサＧの位置から位置Ｐが特定され得る。このようにして、赤外線遮断方式のタッチパネルを用いた場合には、物体が接触または近接された位置Ｐを特定することが可能である。
【０１１４】
図１４に戻って説明を続ける。センサ部２３０は、情報入力装置２０Ｂの姿勢情報を検出する機能を有する。例えば、センサ部２３０は、３軸加速度センサを含んでおり、３軸加速度センサによって計測された情報入力装置２０Ｂにかかる加速度を情報入力装置２０Ｂの姿勢情報として検出する。なお、後に説明するように、センサ部２３０は必須の機能構成ではなく、センサ部２３０が存在しない場合であってもよい。
【０１１５】
また、図１４に示した例では、センサ部２３０は、情報入力装置２０Ｂの内部に存在するが、情報入力装置２０Ｂの外部に備えられていてもよい。また、制御部２１０は、ペアリング処理部２１１と、通信制御部２１２と、操作処理部２１３と、出力制御部２１４とを備える。制御部２１０が備えるこれらの各機能部の詳細については、後に説明する。
【０１１６】
以上、本発明の第２の実施形態に係る情報入力装置２０Ｂの機能構成例について説明した。
【０１１７】
なお、本発明の第２の実施形態に係る情報処理装置３０の機能構成例は、図５に示した本発明の第１の実施形態に係る情報処理装置３０の機能構成例と同様である。したがって、本発明の第２の実施形態に係る情報処理装置３０については、図５を参照しながら説明を続ける。
【０１１８】
続いて、本発明の第２の実施形態に係る情報処理システム１の機能詳細について説明する。本発明の第２の実施形態においても、図６を用いて説明した場合と同様に、ユーザが携帯端末１０Ｂの表示部１７０にもコンテンツ２６１Ｂを表示させたいと考えた場合を想定する。したがって、ペアリングを簡易に行うことを考慮し、ユーザが入力領域２２１Ｂに携帯端末１０Ｂを接触または近接させたと判断される場合に、入力領域２２１Ｂと携帯端末１０Ｂとのペアリングが行われるとよい。
【０１１９】
まず、赤外線遮断方式のタッチパネルの表面のある領域に携帯端末１０Ｂが接触または近接された場合を考える。かかる場合、受光レベルが低下した赤外線センサＧの数から、タッチパネルの長辺側における携帯端末１０Ｂの赤外線センサＧ敷設方向成分（以下、「第１の方向成分ＲＸ」とも言う。）およびタッチパネルの短辺側における携帯端末１０Ｂの赤外線センサＧ敷設方向成分（以下、「第２の方向成分ＲＹ」とも言う。）が特定され得る。ここで、第１の方向成分ＲＸと第２の方向成分ＲＹとによって形成される矩形領域（以下、「矩形領域Ｒ」とも言う。）は、携帯端末１０Ｂの傾きによって変化し得る。
【０１２０】
図１６は、本発明の第２の実施形態に係る携帯端末１０Ｂの第１の方向成分ＲＸと第２の方向成分ＲＹとによって形成される矩形領域Ｒの変化を説明するための図である。図１６には、携帯端末１０Ｂの傾きによって変化する矩形領域Ｒ１〜Ｒ３が例として示されている。図１６を参照すると、第１の方向成分ＲＸおよび第２の方向成分ＲＹの組み合わせが矩形領域Ｒ１〜Ｒ３によって異なっていることが把握される。
【０１２１】
しかし、矩形領域Ｒ１〜Ｒ３のサイズは、いずれも所定の範囲に収まっていると考えられる。そこで、本発明の第２の実施形態においては、第１の方向成分ＲＸと第２の方向成分ＲＹとによって形成される矩形領域Ｒのサイズが所定の範囲に収まっていれば、携帯端末１０Ｂが入力部２２０に接触または近接されたと判断する手法を採用する。例えば、矩形領域Ｒの面積が所定の範囲に収まっていれば、携帯端末１０Ｂが入力部２２０に接触または近接されたと判断する手法を採用することが可能である。以下では、矩形領域Ｒのサイズに少なくとも矩形領域Ｒの面積が含まれる場合を主に説明するが、矩形領域Ｒのサイズは面積に限定されない。
【０１２２】
なお、赤外線遮断方式のタッチパネルには、指の接触または近接を検出するために、閾値よりも大きなサイズの物体の接触または近接を無視する機能を有するものが存在する。しかし、本発明の第２の実施形態においては、指よりも大きな携帯端末１０Ｂの接触または近接を検出できるようにするため、かかる機能を無効にしてもよい。あるいは、上記の閾値を大きくすることによって携帯端末１０の接触または近接が無視されないようにしてもよい。
【０１２３】
また、第１の方向成分ＲＸおよび第２の方向成分ＲＹの組み合わせから情報入力装置２０Ｂに対する携帯端末１０Ｂの傾きθが特定され得る。したがって、情報入力装置２０Ｂに対する携帯端末１０Ｂの傾きθおよび情報入力装置２０Ｂの姿勢情報から得られる矩形領域Ｒの姿勢情報と、携帯端末１０Ｂのセンサ部１４０によって検出された携帯端末１０Ｂの姿勢情報とが一致または類似する場合に、携帯端末１０Ｂが入力部２２０に接触または近接されたと判断する手法も採用し得る。類似範囲はあらかじめ定められていてもよい。
【０１２４】
まず、ユーザが入力領域２２１Ｂに携帯端末１０Ｂを接触または近接させるに際して携帯端末１０Ｂに対して所定の操作を行うと、携帯端末１０Ｂのペアリング処理部１１１は、携帯端末１０Ｂに対する所定の操作に基づく第１の時刻とセンサ部１４０によって検出された携帯端末１０Ｂの姿勢情報とを含む第１のペアリング要求を情報処理装置３０に提供する。第１の時刻および所定の操作については本発明の第１の実施形態と同様である。
【０１２５】
なお、携帯端末１０Ｂの姿勢情報の検出のタイミングは限定されないが、携帯端末１０Ｂに対してユーザが加えている加速度の影響などを排除するため、加速度の変化が閾値よりも下回った場合に携帯端末１０Ｂの姿勢情報が検出されてもよい。また、加速度の変化が閾値よりも下回るまで、上記の携帯端末１０Ｂに対する所定の操作は無効にされてもよい。
【０１２６】
一方、情報入力装置２０Ｂのペアリング処理部２１１は、入力部２２０への携帯端末１０Ａの接触または近接に基づく第２の時刻と矩形領域Ｒの面積と矩形領域Ｒの姿勢情報とを含む第２のペアリング要求を情報処理装置３０に提供する。第２の時刻については本発明の第１の実施形態と同様である。また、矩形領域Ｒの姿勢情報については、後に説明する。ペアリング処理部１１１によって提供された第１のペアリング要求およびペアリング処理部２１１によって提供された第２のペアリング要求は、情報処理装置３０の情報取得部３１１によって取得されてペアリング制御部３１２に提供される。ペアリング制御部３１２は、矩形領域Ｒの面積が所定の範囲に収まる場合、ペアリングを行わせる。以下に、所定の範囲の具体例を説明する。
【０１２７】
図１７は、本発明の第２の実施形態に係る携帯端末１０Ｂの第１の方向成分ＲＸと第２の方向成分ＲＹとによって形成される矩形領域Ｒの面積が満たすべき条件を説明するための図である。図１７に示すように、矩形領域Ｒの最小面積は、矩形領域Ｒ１となる場合であり、長辺幅ｌｗ×短辺幅ｓｗである。また、矩形領域Ｒの最大面積は、矩形領域Ｒ０となる場合（携帯端末１０Ｂの傾きθが４５度の場合）であり、（（長辺幅ｌｗ＋短辺幅ｓｗ）／√２）×（（長辺幅ｌｗ＋短辺幅ｓｗ）／√２）である。そこで、矩形領域Ｒの面積は、以下の式（２）を満たしていると考えられる。
【０１２８】
【数２】
2015118697.tif 000004
【０１２９】
そこで、例えば、ペアリング制御部３１２は、矩形領域Ｒの面積が式（２）を満たす場合、ペアリングを行わせればよい。具体的には、ペアリング制御部３１２は、ペアリング要求を許容する旨を示すペアリング応答を携帯端末１０Ｂおよび情報入力装置２０Ｂに提供することによって、ペアリングを行わせればよい。
【０１３０】
ここで、ペアリング制御部３１２は、所定の範囲を携帯端末１０Ｂのサイズ情報（例えば、携帯端末１０Ｂの各辺の長さ）に基づいて決定してもよい。サイズ情報についても、本発明の第１の実施形態と同様の手法により取得され得る。
【０１３１】
なお、短辺幅ｓｗおよび長辺幅ｌｗが実サイズで表現され、第１の方向成分ＲＸおよび第２の方向成分ＲＹがピクセル数で表現されている場合などには、実サイズとピクセル数との間でスケールを事前に合わせておけばよい。また、上記においては、矩形領域Ｒの面積の算出が情報入力装置２０Ｂのペアリング処理部２１１によってなされる例を示したが、情報処理装置３０の情報取得部３１１によってなされてもよい。かかる場合には、第２のペアリング要求には、矩形領域Ｒの面積の代わりに第１の方向成分ＲＸおよび第２の方向成分ＲＹが含められればよい。
【０１３２】
以上においては、ペアリング制御部３１２が矩形領域Ｒの面積が所定の範囲に収まるか否かによってペアリングを行わせるか否かを判断する例を示した。しかし、ペアリングを行わせるか否かの判断はかかる例に限定されない。
【０１３３】
例えば、上記したように、ペアリング制御部３１２は、矩形領域Ｒの面積が所定の範囲に収まるか否かの判断に追加して、あるいは、かかる判断の代わりに、情報入力装置２０Ｂに対する携帯端末１０Ｂの傾きθおよび情報入力装置２０Ｂの姿勢情報から得られる矩形領域Ｒの姿勢情報と、携帯端末１０Ｂのセンサ部１４０によって検出された携帯端末１０Ｂの姿勢情報とが一致または類似するか否かを判断してもよい。ペアリング制御部３１２は、矩形領域Ｒの姿勢情報と携帯端末１０Ｂの姿勢情報とが一致または類似する場合、ペアリングを行わせてもよい。
【０１３４】
情報入力装置２０Ｂに対する携帯端末１０Ｂの傾きθの算出手法は限定されないが、以下に一例を示す。図１８Ａ〜図１８Ｄは、本発明の第２の実施形態に係る情報入力装置２０Ｂに対する携帯端末１０Ｂの傾きがθとなる場合の第１〜第４の例を示す図である。まず、第１の方向成分ＲＸは、以下の式（３）により表され、第２の方向成分ＲＹは、以下の式（４）により表される。
【０１３５】
【数３】
2015118697.tif 000005
【０１３６】
また、式（４）から、以下の式（５）および式（６）が得られる。
【０１３７】
【数４】
2015118697.tif 000006
【０１３８】
また、式（３）および式（６）から、以下の式（７）が得られる。
【０１３９】
【数５】
2015118697.tif 000007
【０１４０】
また、式（３）および式（５）から、以下の式（８）が得られる。
【０１４１】
【数６】
2015118697.tif 000008
【０１４２】
また、式（７）および式（８）から、以下の式（９）が得られる。
【０１４３】
【数７】
2015118697.tif 000009
【０１４４】
また、式（９）から、以下の式（１０）が得られる。
【０１４５】
【数８】
2015118697.tif 000010
【０１４６】
なお、ここでは、センサ部２３０によって検出された情報入力装置２０Ｂの姿勢情報を用いる例を主に説明したが、情報入力装置２０Ｂの姿勢情報は、あらかじめ登録されていてもよい。情報入力装置２０Ｂの姿勢情報は、情報入力装置２０Ｂからの第２のペアリング要求に毎回含められていてもよいが、情報入力装置２０Ｂの起動中には変動する可能性が低いと考えられる場合などは、情報入力装置２０Ｂの起動開始時にのみ情報入力装置２０Ｂの姿勢情報が情報処理装置３０に提供されてもよい。
【０１４７】
また、例えば、ペアリング制御部３１２は、矩形領域Ｒの面積が所定の範囲に収まるか否かの判断に追加して、携帯端末１０Ｂに対する所定の操作がなされたか否かを判断してもよい。ペアリング制御部３１２は、携帯端末１０Ｂに対する所定の操作がなされた場合、検出結果に基づいてペアリングを行わせてもよい。所定の操作については本発明の第１の実施形態と同様である。
【０１４８】
また、例えば、ペアリング制御部３１２は、矩形領域Ｒの面積が所定の範囲に収まるか否かの判断に追加して、あるいは、かかる判断の代わりに、携帯端末１０Ｂに対する所定の操作に基づく第１の時刻と、入力部２２０への携帯端末１０Ｂの接触または近接に基づく第２の時刻とが一致または類似するか否かを判断してもよい。ペアリング制御部３１２は、第１の時刻と第２の時刻とが一致または類似する場合、ペアリングを行わせてもよい。
【０１４９】
情報入力装置２０Ｂのペアリング処理部２１１は、情報処理装置３０からペアリング要求を許容する旨を示すペアリング応答が取得された場合、携帯端末１０Ｂとの間でペアリングを行う。例えば、ペアリング処理部２１１は、選択位置（例えば、矩形領域Ｒの重心位置）が入力領域２２１Ｂに位置する場合、入力領域２２１Ｂを選択すればよい。そうすれば、情報入力装置２０Ｂのペアリング処理部２１１および携帯端末１０Ｂのペアリング処理部１１１は、選択された入力領域２２１Ｂと携帯端末１０Ｂとの間でペアリングを行うことができる。
【０１５０】
ペアリングが完了した後は、例えば、携帯端末１０Ｂの操作検出部１１２は、入力部１２０によって検出されたユーザの操作を検出し、通信制御部１１３は、ユーザの操作を情報入力装置２０Ｂに送信させることができる。また、情報入力装置２０Ｂの通信制御部２１２は、通信部２４０によって携帯端末１０Ｂから受信されたユーザの操作を取得し、操作処理部２１３は、ユーザの操作に応じて入力領域２２１Ｂに対応する処理を行うことができる。入力領域２２１Ｂに対応する処理は、本発明の第１の実施形態と同様である。
【０１５１】
続いて、本発明の第２の実施形態に係る携帯端末１０Ｂの動作例について説明する。図１９は、本発明の第２の実施形態に係る携帯端末１０Ｂの動作の例を示すフローチャートである。なお、図１９に示した動作例は、携帯端末１０Ｂの動作の一例を示したに過ぎない。したがって、携帯端末１０Ｂの動作は、図１９に示した動作例に限定されることはない。
【０１５２】
図１９に示したように、携帯端末１０Ｂにおいて、ペアリング処理部１１１は、ユーザによる所定の操作が検出されたか否かを判断する（ステップＳ４１）。所定の操作としては、上記したように様々な操作が想定される。ペアリング処理部１１１は、所定の操作が検出されない場合には（ステップＳ４１において「Ｎｏ」）、ステップＳ４１に戻る。一方、ペアリング処理部１１１は、所定の操作が検出された場合には（ステップＳ４１において「Ｙｅｓ」）、センサ部１４０によって検出された携帯端末１０Ｂの姿勢情報を取得し（ステップＳ４２）、所定の操作に基づく第１の時刻を含んだ第１のペアリング要求を情報処理装置３０に送信させ（ステップＳ４３）、ステップＳ４１に戻る。
【０１５３】
以上、本発明の第２の実施形態に係る携帯端末１０Ｂの動作例について説明した。
【０１５４】
続いて、本発明の第２の実施形態に係る情報入力装置２０Ｂの動作例について説明する。図２０は、本発明の第２の実施形態に係る情報入力装置２０Ｂの動作の例を示すフローチャートである。なお、図２０に示した動作例は、情報入力装置２０Ｂの動作の一例を示したに過ぎない。したがって、情報入力装置２０Ｂの動作は、図２０に示した動作例に限定されることはない。
【０１５５】
図２０に示したように、情報入力装置２０Ｂにおいて、ペアリング処理部２１１は、入力部２２０への携帯端末１０Ｂの接触または近接が検出されたか否かを判断する（ステップＳ５１）。ペアリング処理部２１１は、入力部２２０への携帯端末１０Ｂの接触または近接が検出されていないと判断した場合には（ステップＳ５１において「Ｎｏ」）、ステップＳ５１に戻る。一方、ペアリング処理部２１１は、入力部２２０への携帯端末１０Ｂの接触または近接が検出されたと判断した場合には（ステップＳ５１において「Ｙｅｓ」）、携帯端末１０Ｂの第１の方向成分ＲＸと第２の方向成分とによって形成される矩形領域Ｒの面積を算出する（ステップＳ５２）。第１の方向成分ＲＸと第２の方向成分とは、赤外線遮断方式のタッチパネルによって検出され得る。
【０１５６】
続いて、ペアリング処理部２１１は、矩形領域Ｒの面積と携帯端末１０Ｂの接触または近接に基づく第２の時刻と携帯端末１０Ｂの姿勢情報とを含む第２のペアリング要求を情報処理装置３０に送信させ（ステップＳ５３）、ステップＳ５１に戻る。携帯端末１０Ｂの姿勢情報は、携帯端末１０Ｂの第１の方向成分ＲＸと第２の方向成分とから算出される携帯端末１０Ｂの傾きθと情報入力装置２０Ｂの姿勢情報とに基づいてペアリング処理部２１１によって算出され得る。
【０１５７】
以上、本発明の第２の実施形態に係る情報入力装置２０Ｂの動作例について説明した。
【０１５８】
続いて、本発明の第２の実施形態に係る情報処理装置３０の動作例について説明する。図２１は、本発明の第２の実施形態に係る情報処理装置３０の動作の例を示すフローチャートである。なお、図２１に示した動作例は、情報処理装置３０の動作の一例を示したに過ぎない。したがって、情報処理装置３０の動作は、図２１に示した動作例に限定されることはない。
【０１５９】
図２１に示したように、情報処理装置３０において、通信部３３０は、携帯端末１０Ｂから第１のペアリング要求を受信し（ステップＳ６１）、情報入力装置２０Ｂから第２のペアリング要求を受信する（ステップＳ６２）。情報取得部３１１は、通信部３３０によって受信された第１のペアリング要求と第２のペアリング要求とを取得する。続いて、ペアリング制御部３１２は、矩形領域Ｒの面積が所定の範囲に収まるか否かを判断する（ステップＳ６３）。
【０１６０】
ペアリング制御部３１２は、矩形領域Ｒの面積が所定の範囲に収まらないと判断した場合には（ステップＳ６３において「Ｎｏ」）、ユーザが携帯端末１０Ａを情報入力装置２０に接触または近接させていないと判断し、ステップＳ６１に戻る。一方、ペアリング制御部３１２は、矩形領域Ｒの面積が所定の範囲に収まると判断した場合には（ステップＳ６３において「Ｙｅｓ」）、携帯端末１０Ｂの姿勢情報同士が一致または類似するか否かを判断する（ステップＳ６４）。
【０１６１】
ペアリング制御部３１２は、携帯端末１０Ｂの姿勢情報同士が一致または類似しないと判断した場合には（ステップＳ６４において「Ｎｏ」）、誤った機器間においてペアリングを行ってしまう可能性を低減するため、ステップＳ６１に戻る。一方、ペアリング制御部３１２は、携帯端末１０Ｂの姿勢情報同士が一致または類似すると判断した場合には（ステップＳ６４において「Ｙｅｓ」）、第１の時刻と第２の時刻とが一致または類似するか否かを判断する（ステップＳ６５）。
【０１６２】
ペアリング制御部３１２は、第１の時刻と第２の時刻とが一致または類似しないと判断した場合には（ステップＳ６５において「Ｎｏ」）、誤った機器間においてペアリングを行ってしまう可能性を低減するため、ステップＳ６１に戻る。一方、ペアリング制御部３１２は、第１の時刻と第２の時刻とが一致または類似すると判断した場合には（ステップＳ６５において「Ｙｅｓ」）、ユーザの選択位置にある入力領域２２１と携帯端末１０Ｂとのペアリングを行わせて（ステップＳ６６）、ステップＳ６１に戻る。
【０１６３】
以上、本発明の第２の実施形態に係る情報処理装置３０の動作例について説明した。
【０１６４】
以上に説明したように、本発明の第２の実施形態において、情報取得部３１１は、接触または近接された物体の第１の方向成分と第２の方向成分とによって形成される矩形領域Ｒのサイズを検出結果として取得する。そして、ペアリング制御部３１２は、矩形領域Ｒのサイズが所定の範囲に収まる場合、ペアリングを行わせる。かかる場合には、ユーザが携帯端末１０Ｂを入力部２２０に接触または近接させたと考えられるからである。
【０１６５】
［第３の実施形態の説明］
続いて、本発明の第３の実施形態について説明する。本発明の第１の実施形態および本発明の第２の実施形態においては、電子データの授受を行わせたい入力領域と携帯端末とをより簡易にペアリングし、入力領域に対応するコンテンツが携帯端末にダウンロードされる例について説明した。しかし、電子データの授受はコンテンツのダウンロードに限定されない。本発明の第３の実施形態においては、入力領域に対応するアプリケーションが携帯端末において起動される例を説明する。
【０１６６】
まず、本発明の第３の実施形態に係る携帯端末１０Ｃの機能構成例について説明する。図２２は、本発明の第３の実施形態に係る携帯端末１０Ｃの機能構成例を示す図である。図２２に示すように、携帯端末１０Ｃは、制御部１１０と、入力部１２０と、センサ部１４０と、通信部１５０と、記憶部１６０と、表示部１７０とを備える。ただし、本発明の第１の実施形態に係る携帯端末１０Ａと同様に、本発明の第３の実施形態に係る携帯端末１０Ｃは、センサ部１４０を備えていなくてもよい。
【０１６７】
ここでは、本発明の第３の実施形態に係る携帯端末１０Ｃの機能構成のうち、本発明の第１の実施形態に係る携帯端末１０Ａおよび本発明の第２の実施形態に係る携帯端末１０Ｂの機能構成と同様の機能構成については説明を省略し、異なる機能構成について主に説明する。制御部１１０は、ペアリング処理部１１１と、操作検出部１１２と、通信制御部１１３と、表示制御部１１４と、アプリケーション制御部１１５とを備える。制御部１１０が備えるこれらの各機能部の詳細については、後に説明する。
【０１６８】
以上、本発明の第３の実施形態に係る携帯端末１０Ｃの機能構成例について説明した。
【０１６９】
なお、以下においては、本発明の第３の実施形態に係る情報入力装置を「情報入力装置２０」として説明する。また、本発明の第３の実施形態に係る情報入力装置２０の機能構成のうち、本発明の第１の実施形態に係る情報入力装置２０Ａおよび本発明の第２の実施形態に係る情報入力装置２０Ｂの機能構成と同様の機能構成については説明を省略し、異なる機能構成について主に説明する。
【０１７０】
また、本発明の第３の実施形態に係る情報処理装置３０の機能構成のうち、本発明の第１の実施形態に係る情報処理装置３０および本発明の第２の実施形態に係る情報処理装置３０の機能構成と同様の機能構成については説明を省略し、異なる機能構成について主に説明する。
【０１７１】
図２３は、携帯端末１０Ｃの記憶部１６０によって記憶されている情報組の構成例を示す図である。図２３に示すように、携帯端末１０Ｃの記憶部１６０には、ＡＰ（アプリケーション）タグとアプリケーションとアプリケーションに設定可能なパラメータ１およびパラメータ２とが対応付けられた情報組が７組記憶されている。ここで、パラメータ１およびパラメータ２は、アプリケーションに対して設定され得る。なお、携帯端末１０Ｃの記憶部１６０によって記憶されている情報組の数は１または複数であれば特に限定されない。
【０１７２】
ここで、アプリケーションは、起動対象となるアプリケーションに相当し得る。アプリケーションの種類は特に限定されない。ＡＰタグは、アプリケーションを識別するためのアプリケーション識別情報に相当し得る。パラメータ１およびパラメータ２は、アプリケーションに対して設定され得る。なお、アプリケーションに対応付けられるパラメータの数は１つであってもよいし、複数であってもよいし、パラメータが対応付けられていないアプリケーションが存在してもよい。
【０１７３】
図２４は、情報入力装置２０の記憶部２５０によって記憶されている情報組の構成例を示す図である。図２４に示すように、情報入力装置２０の記憶部２５０には、入力領域とＡＰタグとパラメータ１およびパラメータ２とが対応付けられた情報組が９組記憶されている。ここで、図２４には、入力領域の右上座標と入力領域の幅および高さとによって入力領域が規定される例が示されているが、入力領域はどのように規定されていてもよい。なお、情報入力装置２０の記憶部２５０によって記憶されている情報組の数は１または複数であれば特に限定されない。
【０１７４】
図２５は、本発明の第３の実施形態に係る情報入力装置２０の出力部２６０によって表示される表示内容の例を示す図である。図２５に示すように、情報入力装置２０の入力部２２０は、入力領域２２１Ａ〜２２１Ｄを有している。また、出力制御部２１４は、入力領域２２１Ａ〜２２１Ｄに対して、画像２２３Ａ〜２２３Ｄを表示させている。画像２２３Ａ〜２２３Ｄそれぞれには、「電話」、「メール」、「チャット」、「ＴＶ電話」という文字列が付されている。また、例えば、図２５に示すように、出力部２６０には、人物ＰＥの画像が表示されてよい。
【０１７５】
ここで、例えば、ユーザが人物ＰＥに電話を掛けたいと考え、入力領域２２１Ａに携帯端末１０Ｃを接触または近接させると、情報処理装置３０のペアリング制御部３１２は、入力領域２２１Ａと携帯端末１０Ｃとのペアリングを行わせる。ペアリングが完了した後、入力領域２２１Ａが（ｘ１，ｙ１，ｗｉｄｔｈ１，ｈｅｉｇｈｔ１）である場合には（図２４を参照）、入力領域２２１Ａに対応するデータ（ＡＰタグ「ＣＡＬＬ」、パラメータ１「＊＊＊−１２３４−＊＊＊＊」）が、操作処理部２１３によって記憶部２５０から取得されて携帯端末１０Ｃに通知される。
【０１７６】
その後、携帯端末１０Ｃにおいては、アプリケーション制御部１１５によって、ＡＰタグ「ＣＡＬＬ」に対応するアプリケーション「電話ツール」が起動される（図２３を参照）。このとき、アプリケーション制御部１１５は、ＡＰタグ「ＣＡＬＬ」に対応するパラメータ１「電話番号」として、パラメータ１「＊＊＊−１２３４−＊＊＊＊」をアプリケーション「電話ツール」に設定することが可能である。
【０１７７】
なお、アプリケーション「電話ツール」が起動されると、アプリケーション「電話ツール」の機能によって自動的に電話番号「＊＊＊−１２３４−＊＊＊＊」に電話が掛けられてもよい。あるいは、アプリケーション「電話ツール」が起動されると、アプリケーション「電話ツール」の機能によって、自動的に電話番号「＊＊＊−１２３４−＊＊＊＊」が設定された発信操作画面が表示部１７０に表示され、ユーザが所定のアクション（例えば、通話開始ボタンの押下など）を行ったことをトリガとして、電話番号「＊＊＊−１２３４−＊＊＊＊」に電話が掛けられてもよい。
【０１７８】
また、例えば、ユーザが人物ＰＥにメールを送りたいと考え、入力領域２２１Ｂに携帯端末１０Ｃを接触または近接させると、情報処理装置３０のペアリング制御部３１２は、入力領域２２１Ｂと携帯端末１０Ｃとのペアリングを行わせる。ペアリングが完了した後、入力領域２２１Ｂが（ｘ４，ｙ４，ｗｉｄｔｈ２，ｈｅｉｇｈｔ２）である場合には（図２４を参照）、入力領域２２１Ｂに対応するデータ（ＡＰタグ「ＭＡＩＬ」、パラメータ１「ａｂｃｄ＠＊＊＊」）が、操作処理部２１３によって記憶部２５０から取得されて携帯端末１０Ｃに通知される。
【０１７９】
その後、携帯端末１０Ｃにおいては、アプリケーション制御部１１５によって、ＡＰタグ「ＭＡＩＬ」に対応するアプリケーション「メールツール」が起動される（図２３を参照）。このとき、アプリケーション制御部１１５は、ＡＰタグ「ＭＡＩＬ」に対応するパラメータ１「宛先」として、パラメータ１「ａｂｃｄ＠＊＊＊」をアプリケーション「メールツール」に設定することが可能である。
【０１８０】
なお、アプリケーション「メールツール」が起動されると、アプリケーション「メールツール」の機能によって自動的に宛先「ａｂｃｄ＠＊＊＊」に所定の文面のメールが送信されてもよい。あるいは、アプリケーション「メールツール」が起動されると、アプリケーション「メールツール」の機能によって、自動的に宛先「ａｂｃｄ＠＊＊＊」が設定されたメール編集画面が表示部１７０に表示され、ユーザが所定のアクション（例えば、送信開始ボタンの押下など）を行ったことをトリガとして、メール編集画面において編集されたメールが宛先「ａｂｃｄ＠＊＊＊」に送信されてもよい。
【０１８１】
また、例えば、ユーザが人物ＰＥとチャットをしたいと考え、入力領域２２１Ｃに携帯端末１０Ｃを接触または近接させると、情報処理装置３０のペアリング制御部３１２は、入力領域２２１Ｃと携帯端末１０Ｃとのペアリングを行わせる。ペアリングが完了した後、入力領域２２１Ｃが（ｘ６，ｙ６，ｗｉｄｔｈ３，ｈｅｉｇｈｔ３）である場合には（図２４を参照）、入力領域２２１Ｃに対応するデータ（ＡＰタグ「ＣＨＡＴ」、パラメータ１「＊＊＊．＊＊＊．＊＊＊．＊＊＊」）が、操作処理部２１３によって記憶部２５０から取得されて携帯端末１０Ｃに通知される。
【０１８２】
その後、携帯端末１０Ｃにおいては、アプリケーション制御部１１５によって、ＡＰタグ「ＣＨＡＴ」に対応するアプリケーション「チャットツール」が起動される（図２３を参照）。このとき、アプリケーション制御部１１５は、ＡＰタグ「ＣＨＡＴ」に対応するパラメータ１「接続先」として、パラメータ１「＊＊＊．＊＊＊．＊＊＊．＊＊＊」をアプリケーション「チャットツール」に設定することが可能である。なお、接続先はＩＰアドレスであってよいが、接続先を識別するための情報であればＩＰアドレスに限定されない。
【０１８３】
なお、アプリケーション「チャットツール」が起動されると、アプリケーション「チャットツール」の機能によって自動的に携帯端末１０Ｃが接続先「＊＊＊．＊＊＊．＊＊＊．＊＊＊」に接続されてもよい。あるいは、アプリケーション「チャットツール」が起動されると、アプリケーション「チャットツール」の機能によって、自動的に接続先「＊＊＊．＊＊＊．＊＊＊．＊＊＊」が設定された接続操作画面が表示部１７０に表示され、ユーザが所定のアクション（例えば、接続開始ボタンの押下など）を行ったことをトリガとして、携帯端末１０Ｃが接続先「＊＊＊．＊＊＊．＊＊＊．＊＊＊」に接続されてもよい。
【０１８４】
また、例えば、ユーザが人物ＰＥにＴＶ電話を掛けたいと考え、入力領域２２１Ｄに携帯端末１０Ｃを接触または近接させると、情報処理装置３０のペアリング制御部３１２は、入力領域２２１Ｄと携帯端末１０Ｃとのペアリングを行わせる。ペアリングが完了した後、入力領域２２１Ｄが（ｘ３，ｙ３，ｗｉｄｔｈ１，ｈｅｉｇｈｔ１）である場合には（図２４を参照）、入力領域２２１Ｄに対応するデータ（ＡＰタグ「ＴＶ  ＰＨＯＮＥ」、パラメータ１「＊＊＊−９０１２−＊＊＊＊」）が、操作処理部２１３によって記憶部２５０から取得されて携帯端末１０Ｃに通知される。
【０１８５】
その後、携帯端末１０Ｃにおいては、アプリケーション制御部１１５によって、ＡＰタグ「ＴＶ  ＰＨＯＮＥ」に対応するアプリケーション「ＴＶ電話ツール」が起動される（図２３を参照）。このとき、アプリケーション制御部１１５は、ＡＰタグ「ＴＶ  ＰＨＯＮＥ」に対応するパラメータ１「電話番号」として、パラメータ１「＊＊＊−９０１２−＊＊＊＊」をアプリケーション「ＴＶ電話ツール」に設定することが可能である。
【０１８６】
なお、アプリケーション「ＴＶ電話ツール」が起動されると、アプリケーション「ＴＶ電話ツール」の機能によって自動的に電話番号「＊＊＊−９０１２−＊＊＊＊」に電話が掛けられてもよい。あるいは、アプリケーション「ＴＶ電話ツール」が起動されると、アプリケーション「ＴＶ電話ツール」の機能によって、自動的に電話番号「＊＊＊−９０１２−＊＊＊＊」が設定された発信操作画面が表示部１７０に表示され、ユーザが所定のアクション（例えば、通話開始ボタンの押下など）を行ったことをトリガとして、電話番号「＊＊＊−９０１２−＊＊＊＊」に電話が掛けられてもよい。
【０１８７】
また、例えば、ユーザが文字入力を行いたいと考え、図示しない入力領域に携帯端末１０Ｃを接触または近接させると、情報処理装置３０のペアリング制御部３１２は、この図示しない入力領域と携帯端末１０Ｃとのペアリングを行わせる。ペアリングが完了した後、この図示しない入力領域が（ｘ７，ｙ７，ｗｉｄｔｈ４，ｈｅｉｇｈｔ４）である場合には（図２４を参照）、この図示しない入力領域に対応するデータ（ＡＰタグ「ＣＴＲＬ」、パラメータ１「ｈｔｔｐ：／／ｗｗｗ．＊＊＊＊＊＊＊＊＊＊」、パラメータ２「半角英数」）が、操作処理部２１３によって記憶部２５０から取得されて携帯端末１０Ｃに通知される。
【０１８８】
その後、携帯端末１０Ｃにおいては、アプリケーション制御部１１５によって、ＡＰタグ「ＣＴＲＬ」に対応するアプリケーション「文字入力ツール」が起動される（図２３を参照）。このとき、アプリケーション制御部１１５は、ＡＰタグ「ＣＴＲＬ」に対応するパラメータ１「情報入力先」として、パラメータ１「ｈｔｔｐ：／／ｗｗｗ．＊＊＊＊＊＊＊＊＊＊」をアプリケーション「文字入力ツール」に設定することが可能である。また、アプリケーション制御部１１５は、ＡＰタグ「ＣＴＲＬ」に対応するパラメータ２「入力フォント」として、パラメータ２「半角英数」をアプリケーション「文字入力ツール」に設定することが可能である。
【０１８９】
なお、アプリケーション「文字入力ツール」が起動されると、アプリケーション「文字入力ツール」の機能によって、自動的に情報入力先として「ｈｔｔｐ：／／ｗｗｗ．＊＊＊＊＊＊＊＊＊＊」が設定され、自動的に入力フォント「半角英数」が設定された文字入力画面が表示部１７０に表示され、ユーザが所定のアクション（例えば、保存ボタンの押下など）を行ったことをトリガとして、入力された文字列が情報入力先「ｈｔｔｐ：／／ｗｗｗ．＊＊＊＊＊＊＊＊＊＊」に保存されてもよい。
【０１９０】
また、例えば、ユーザがコンテンツをダウンロードしたいと考え、図示しない入力領域に携帯端末１０Ｃを接触または近接させると、情報処理装置３０のペアリング制御部３１２は、この図示しない入力領域と携帯端末１０Ｃとのペアリングを行わせる。ペアリングが完了した後、この図示しない入力領域が（ｘ８，ｙ８，ｗｉｄｔｈ５，ｈｅｉｇｈｔ５）である場合には（図２４を参照）、この図示しない入力領域に対応するデータ（ＡＰタグ「ＤＯＷＮ」、パラメータ１「ｈｔｔｐ：／／ｗｗｗ．＊＊＊＊＊＊＊＊＊＊」）が、操作処理部２１３によって記憶部２５０から取得されて携帯端末１０Ｃに通知される。
【０１９１】
その後、携帯端末１０Ｃにおいては、アプリケーション制御部１１５によって、ＡＰタグ「ＤＯＷＮ」に対応するアプリケーション「ブラウザツール」が起動される（図２３を参照）。このとき、アプリケーション制御部１１５は、ＡＰタグ「ＤＯＷＮ」に対応するパラメータ１「ＵＲＬ」として、パラメータ１「ｈｔｔｐ：／／ｗｗｗ．＊＊＊＊＊＊＊＊＊＊」をアプリケーション「ブラウザツール」に設定することが可能である。
【０１９２】
なお、アプリケーション「ブラウザツール」が起動されると、アプリケーション「ブラウザツール」の機能によって自動的にＵＲＬ「ｈｔｔｐ：／／ｗｗｗ．＊＊＊＊＊＊＊＊＊＊」からコンテンツがダウンロードされてもよい。あるいは、アプリケーション「ブラウザツール」が起動されると、アプリケーション「ブラウザツール」の機能によって、自動的にダウンロード開始操作画面が表示部１７０に表示され、ユーザが所定のアクション（例えば、ダウンロード開始ボタンの押下など）を行ったことをトリガとして、ＵＲＬ「ｈｔｔｐ：／／ｗｗｗ．＊＊＊＊＊＊＊＊＊＊」からコンテンツがダウンロードされてもよい。
【０１９３】
また、例えば、ユーザがコンテンツをアップロードしたいと考え、図示しない入力領域に携帯端末１０Ｃを接触または近接させると、情報処理装置３０のペアリング制御部３１２は、この図示しない入力領域と携帯端末１０Ｃとのペアリングを行わせる。ペアリングが完了した後、この図示しない入力領域が（ｘ９，ｙ９，ｗｉｄｔｈ６，ｈｅｉｇｈｔ６）である場合には（図２４を参照）、この図示しない入力領域に対応するデータ（ＡＰタグ「ＵＰ」、パラメータ１「ｈｔｔｐｓ：／／ｗｗｗ．＊＊＊＊＊＊＊＊＊＊＊＊＊＊」、パラメータ２「ｊｐｇ、ｐｎｇ、ｂｍｐ」）が、操作処理部２１３によって記憶部２５０から取得されて携帯端末１０Ｃに通知される。
【０１９４】
その後、携帯端末１０Ｃにおいては、アプリケーション制御部１１５によって、ＡＰタグ「ＵＰ」に対応するアプリケーション「アップロードツール」が起動される（図２３を参照）。このとき、アプリケーション制御部１１５は、ＡＰタグ「ＵＰ」に対応するパラメータ１「ＵＲＬ」として、パラメータ１「ｈｔｔｐｓ：／／＊＊＊＊＊＊＊＊＊＊＊＊＊＊」をアプリケーション「アップロードツール」に設定することが可能である。また、アプリケーション制御部１１５は、ＡＰタグ「ＵＰ」に対応するパラメータ２「ファイル形式」として、パラメータ１「ｊｐｇ、ｐｎｇ、ｂｍｐ」をアプリケーション「文字入力ツール」に設定することが可能である。
【０１９５】
なお、アプリケーション「アップロードツール」が起動されると、アプリケーション「アップロードツール」の機能によって、自動的にＵＲＬ「ｈｔｔｐｓ：＊＊＊＊＊＊＊＊＊＊＊＊＊＊にファイル形式「ｊｐｇ、ｐｎｇ、ｂｍｐ」のコンテンツがアップロードされてもよい。あるいは、アプリケーション「アップロードツール」が起動されると、アプリケーション「アップロードツール」の機能によって、自動的にアップロード開始操作画面が表示部１７０に表示され、ユーザが所定のアクション（例えば、アップロード開始ボタンの押下など）を行ったことをトリガとして、ＵＲＬ「ｈｔｔｐｓ：＊＊＊＊＊＊＊＊＊＊＊＊＊＊にファイル形式「ｊｐｇ、ｐｎｇ、ｂｍｐ」のコンテンツがアップロードされてもよい。
【０１９６】
図２５には、出力部２６０に単一の人物ＰＥの画像が表示される例が示されていたが、出力部２６０には、複数の人物それぞれの画像が表示されていてもよい。かかる場合、ペアリング処理部２１１は、複数の人物から単一の人物を選択し、選択した単一の人物に対応する入力領域を有効にしてもよい。人物と入力領域とはあらかじめ対応付けられていてよい。また、単一の人物を選択する手法は特に限定されないが、例えば、ペアリング処理部２１１は、ユーザの操作（例えば、タップ操作など）に基づいて単一の人物を選択してもよい。
【０１９７】
図２６は、本発明の第３の実施形態に係る情報入力装置２０の出力部２６０によって表示される表示内容の他の例を示す図である。図２６を参照すると、ペアリング処理部２１１は、人物ＰＥ２の選択領域Ｚ２に対するタップ操作に基づいて、人物ＰＥ２に対応する入力領域２２１Ａ〜２２１Ｄを有効にする例が示されている。有効となった入力領域２２１Ａ〜２２１Ｄは、携帯端末１０Ｃとの間でペアリングが可能となる。また、出力制御部２１４は、入力領域２２１Ａ〜２２１Ｄに対して、画像２２３Ａ〜２２３Ｄを表示させている。なお、人物ＰＥ１の選択領域Ｚ１および人物ＰＥ２の選択領域Ｚ２は、あらかじめ定められていてよい。
【０１９８】
上記においては、入力領域と携帯端末との間におけるペアリングが完了した後に、入力領域に対応するアプリケーションが起動される例を説明したが、ペアリング完了時点において既にアプリケーションが起動している場合も想定される。かかる場合には、既に起動しているアプリケーションに設定されているパラメータに新たなパラメータを追加すればよい。すなわち、アプリケーション制御部１１５は、入力領域に対応するＡＰタグとして起動中のアプリケーションを識別するためのＡＰタグが取得された場合、情報入力装置２０から取得されたパラメータを起動中のアプリケーションに既に設定されているパラメータに追加すればよい。
【０１９９】
例えば、アプリケーション制御部１１５は、入力領域に対応するＡＰタグとして起動中のメールツールを識別するためのＡＰタグが取得された場合、情報入力装置２０から取得されたパラメータ「宛先」を起動中のメールツールに既に設定されているパラメータ「宛先」に追加すればよい。また、例えば、アプリケーション制御部１１５は、入力領域に対応するＡＰタグとして起動中のブラウザツールを識別するためのＡＰタグが取得された場合、情報入力装置２０から取得されたパラメータ「ＵＲＬ」を起動中のブラウザツールに既に設定されているパラメータ「ＵＲＬ」に追加すればよい。このとき、追加されたＵＲＬに存在するページが新たなタブとして表示されてよい。
【０２００】
また、上記においては、入力領域に対応する１つのＡＰタグが携帯端末１０Ｃによって情報入力装置２０から取得される例を説明したが、入力領域に対応する複数のＡＰタグが携帯端末１０Ｃによって情報入力装置２０から取得される場合も想定される。かかる場合には、携帯端末１０Ｃは起動対象のアプリケーションをユーザに選択させてもよい。すなわち、アプリケーション制御部１１５は、入力領域に対応する複数のＡＰタグが情報入力装置２０から取得された場合、複数のＡＰタグそれぞれにより識別されるアプリケーションから起動対象のアプリケーションをユーザに選択させてもよい。
【０２０１】
また、上記においては、情報入力装置２０からＡＰタグおよびパラメータを取得可能な携帯端末を特に制限しないこととしたが、情報入力装置２０からＡＰタグおよびパラメータを取得可能な携帯端末を制限してもよい。すなわち、操作処理部２１３は、ＡＰタグおよびパラメータのうち少なくともいずれか一方の一部または全部を暗号化してもよい。このとき、通信制御部１１３は、情報入力装置２０から受信されたＡＰタグおよびパラメータのうち少なくともいずれか一方の一部または全部が暗号化データである場合、暗号化データを復号してもよい。
【０２０２】
また、上記においては、携帯端末１０Ｃの記憶部１６０によって記憶されているＡＰタグおよびパラメータは特に変化しない場合について説明したが、携帯端末１０Ｃの記憶部１６０によって記憶されているＡＰタグおよびパラメータのうち少なくともいずれか一方が動的に変化してもよい。また、上記においては、携帯端末１０Ｃの記憶部１６０によって記憶されている情報組の組数も特に変化しない場合について説明したが、かかる情報組の組数も動的に変化してよい。
【０２０３】
同様に、上記においては、情報入力装置２０の記憶部２５０によって記憶されているＡＰタグおよびパラメータは特に変化しない場合について説明したが、情報入力装置２０の記憶部２５０によって記憶されているＡＰタグおよびパラメータのうち少なくともいずれか一方が動的に変化してもよい。また、上記においては、情報入力装置２０の記憶部２５０によって記憶されている情報組の組数も特に変化しない場合について説明したが、かかる情報組の組数も動的に変化してよい。
【０２０４】
［効果の説明］
以上に説明したように、本発明の実施形態によれば、情報入力装置２０の入力部２２０への接触または近接に基づく所定の検出結果を取得する情報取得部３１１と、検出結果が携帯端末１０の接触または近接を示す場合、情報入力装置２０の入力領域と携帯端末１０とのペアリングを行わせるペアリング制御部３１２とを備える、情報処理装置３０が提供される。かかる構成によれば、電子データの授受を行わせたい複数の情報機器の特定をより簡易により行うことが可能となる。
【０２０５】
［変形例の説明］
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【０２０６】
例えば、ユーザが入力領域を視認できるようにすれば、ユーザは携帯端末１０を接触または近接させるべき位置を容易に把握することが可能となる。そこで、情報入力装置２０の出力制御部２１４は、入力領域が視認可能となるように所定のオブジェクトを出力部２６０に表示させてもよい。所定のオブジェクトは特に限定されないが、入力領域の外周線（枠）であってもよいし、網掛けであってもよいし、半透明レイヤであってもよいし、画像（静止画または動画）であってもよい。
【０２０７】
例えば、上記においては、情報入力装置２０の出力部２６０によって表示されているコンテンツ全体に対して入力領域が設定される例を主に説明したが、入力領域はコンテンツの一部に設定されてもよい。また、例えば、上記においては、情報入力装置２０の出力部２６０によって表示されているコンテンツに対して１つの入力領域が設定される例を主に説明したが、コンテンツには複数の入力領域が設定されてもよい。また、複数のコンテンツに対して１つの入力領域が対応してもよい。また、入力領域のサイズや形状は特に限定されない。
【０２０８】
図２７は、コンテンツと入力領域との対応関係の変形例を示す図である。図２７に示した例では、入力領域２２１Ａ〜２２１Ｄそれぞれがコンテンツ２６１Ａの一部に設定されている。また、図２７に示した例では、コンテンツ２６１Ａに対して複数の入力領域（２２１Ａ〜２２１Ｄ）が設定されている。また、入力領域２２１Ａ（２２１Ｂ）と入力領域２２１Ｃと入力領域２２１Ｄとの間において、サイズおよび形状は異なっている。
【０２０９】
また、上記においては、情報入力装置２０に対する入力領域の位置および範囲は特に変化しない場合について説明したが、情報入力装置２０に対する入力領域の位置および範囲のうち少なくともいずれか一方は、動的に変化してもよい。同様に、上記においては、情報入力装置２０の出力部によって表示されているコンテンツは特に変化しない場合について説明したが、かかるコンテンツは動的に変化してもよい。また、コンテンツの位置およびサイズのうち少なくともいずれか一方が動的に変化してもよい。
【０２１０】
続いて、情報処理システム１の構成の変形例について説明する。図２８は、情報処理システム１の構成の変形例を示す図である。上記においては、１つの情報入力装置２０に入力領域２２１Ａ、２２１Ｂ、２２１Ｃが設けられる例を説明した。かかる例においては、ペアリング制御部３１２は、１つの情報入力装置２０に設けられた複数の入力領域２２１から検出された入力領域２２１と携帯端末１０との間のペアリングを制御すればよい。
【０２１１】
しかし、情報処理システム１の構成はかかる例に限定されない。例えば、図２８に示したように、第１の情報入力装置２０に入力領域２２１Ａが設けられ、第２の情報入力装置２０に入力領域２２１Ｂが設けられ、第３の情報入力装置２０に入力領域２２１Ｃが設けられてもよい。すなわち、ペアリング制御部３１２は、複数の情報入力装置２０それぞれに設けられた入力領域２２１Ａ〜２２１Ｃから検出された入力領域２２１と携帯端末１０との間のペアリングを制御してもよい。
【０２１２】
また、例えば、携帯端末１０に内蔵されたカメラと情報入力装置２０の出力部２６０との間の可視光通信を利用すれば、誤った機器間においてペアリングがなされてしまう可能性を低減することが可能となる。例えば、携帯端末１０が情報入力装置２０に接触または近接したとき、携帯端末１０に内蔵されたカメラによって撮像された画像には、情報入力装置２０の出力部２６０から出力された可視光が映ると考えられる。そこで、画像に可視光が映っている場合にペアリングを行わせるようにすることで、ペアリングの精度が向上することが期待される。
【０２１３】
さらに、可視光を発する領域は、上記のユーザによる選択位置（あるいは、選択位置および携帯端末１０のサイズ情報）に基づいて限定された領域に抑えることが可能である。そうすれば、情報入力装置２０の出力部２６０がユーザへの閲覧用に表示している内容への影響を抑えることが可能である。
【０２１４】
また、例えば、上記した例では、情報処理装置３０が他の装置からは独立した装置として存在したが、情報処理装置３０は、他の装置に組み込まれていてもよい。例えば、情報処理装置３０は、情報入力装置２０のいずれかに組み込まれていてもよい。
【０２１５】
制御部１１０を構成する各ブロックは、例えば、ＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）などから構成され、記憶部１６０により記憶されているプログラムがＣＰＵによりＲＡＭに展開されて実行されることにより、その機能が実現され得る。あるいは、制御部１１０を構成する各ブロックは、専用のハードウェアにより構成されていてもよいし、複数のハードウェアの組み合わせにより構成されてもよい。
【０２１６】
制御部２１０を構成する各ブロックは、例えば、ＣＰＵ、ＲＡＭなどから構成され、記憶部２５０により記憶されているプログラムがＣＰＵによりＲＡＭに展開されて実行されることにより、その機能が実現され得る。あるいは、制御部２１０を構成する各ブロックは、専用のハードウェアにより構成されていてもよいし、複数のハードウェアの組み合わせにより構成されてもよい。
【０２１７】
制御部３１０を構成する各ブロックは、例えば、ＣＰＵ、ＲＡＭなどから構成され、記憶部３２０により記憶されているプログラムがＣＰＵによりＲＡＭに展開されて実行されることにより、その機能が実現され得る。あるいは、記憶部３２０を構成する各ブロックは、専用のハードウェアにより構成されていてもよいし、複数のハードウェアの組み合わせにより構成されてもよい。
【０２１８】
尚、本明細書において、フローチャートに記述されたステップは、記載された順序に沿って時系列的に行われる処理はもちろん、必ずしも時系列的に処理されなくとも、並列的に又は個別的に実行される処理をも含む。また時系列的に処理されるステップでも、場合によっては適宜順序を変更することが可能であることは言うまでもない。
【符号の説明】
【０２１９】
１      情報処理システム
１０（１０Ａ、１０Ｂ、１０Ｃ）  携帯端末
１１０  制御部
１１１  ペアリング処理部
１１２  操作検出部
１１３  通信制御部
１１４  表示制御部
１１５  アプリケーション制御部
１２０  入力部
１４０  センサ部
１５０  通信部
１６０  記憶部
１７０  表示部
２０（２０Ａ、２０Ｂ）  情報入力装置
２１０  制御部
２１１  ペアリング処理部
２１２  通信制御部
２１３  操作処理部（処理部）
２１４  出力制御部
２２０  入力部
２２１（２２１Ａ、２２１Ｂ、２２１Ｃ）  入力領域
２３０  センサ部
２４０  通信部
２５０  記憶部
２６０  出力部
３０    情報処理装置
３１０  制御部
３１１  情報取得部
３１２  ペアリング制御部
３２０  記憶部
３３０  通信部
４０    ネットワーク
５１（５１ａ、５１ｂ）  検出位置
５２    距離
ＲＸ    第１の方向成分
ＲＹ    第２の方向成分
Ｒ（Ｒ０、Ｒ１）  矩形領域
【図１】
2015118697.tif 000011
【図２】
2015118697.tif 000012
【図３】
2015118697.tif 000013
【図４】
2015118697.tif 000014
【図５】
2015118697.tif 000015
【図６】
2015118697.tif 000016
【図７】
2015118697.tif 000017
【図８】
2015118697.tif 000018
【図９】
2015118697.tif 000019
【図１０】
2015118697.tif 000020
【図１１】
2015118697.tif 000021
【図１２】
2015118697.tif 000022
【図１３】
2015118697.tif 000023
【図１４】
2015118697.tif 000024
【図１５】
2015118697.tif 000025
【図１６】
2015118697.tif 000026
【図１７】
2015118697.tif 000027
【図１８Ａ】
2015118697.tif 000028
【図１８Ｂ】
2015118697.tif 000029
【図１８Ｃ】
2015118697.tif 000030
【図１８Ｄ】
2015118697.tif 000031
【図１９】
2015118697.tif 000032
【図２０】
2015118697.tif 000033
【図２１】
2015118697.tif 000034
【図２２】
2015118697.tif 000035
【図２３】
2015118697.tif 000036
【図２４】
2015118697.tif 000037
【図２５】
2015118697.tif 000038
【図２６】
2015118697.tif 000039
【図２７】
2015118697.tif 000040
【図２８】
2015118697.tif 000041